(57)【要約】  本出願の実施例は、無線通信方法、端末装置とネットワーク装置を開示する。該方法は、端末装置がネットワーク装置から送信された第一のビットマップを受信し、該第一のビットマップが、該ネットワーク装置が第一の周波数領域リソースユニット内で該端末装置に割り当てた時間領域リソースを示すことに用いられることと、該端末装置が該第一のビットマップに示される時間領域リソースで該ネットワーク装置とデータの伝送を行うこととを含む。本出願の実施例の方法、端末装置とネットワーク装置は、時間領域スケジューリングの柔軟性を向上させることができる。
2020519078.tif 000002
【特許請求の範囲】
【請求項１】
無線通信方法であって、
端末装置がネットワーク装置から送信された第一のビットマップを受信し、前記第一のビットマップが、前記ネットワーク装置が第一の周波数領域リソースユニット内で前記端末装置に割り当てた時間領域リソースを示すことに用いられることと、
前記端末装置が、前記第一のビットマップに示される時間領域リソースで前記ネットワーク装置とデータの伝送を行うこととを含む、前記無線通信方法。
【請求項２】
前記第一のビットマップにおける各ビットは、前記第一の周波数領域リソースユニットにおける少なくとも一つの時間領域リソースユニットに対応し、前記第一のビットマップにおける各ビットの値は、対応する少なくとも一つの時間領域リソースユニットが前記端末装置のデータの伝送に用いられるか否かを示すことに用いられることを特徴とする
請求項１に記載の方法。
【請求項３】
前記第一のビットマップにおけるビットは、前記第一の周波数領域リソースユニットにおける時間領域リソースユニットと１対１で対応することを特徴とする
請求項２に記載の方法。
【請求項４】
前記第一のビットマップにおけるビットの左から右への順序は、前記第一の周波数領域リソースユニットにおける時間領域リソースユニットの先後順序と一致することを特徴とする
請求項２又は３に記載の方法。
【請求項５】
前記時間領域リソースユニットは、シンボル、シンボルグループ、タイムスロットとマイクロタイムスロットのうちの少なくとも一つであることを特徴とする
請求項２−４のいずれか一項に記載の方法。
【請求項６】
前記端末装置がネットワーク装置から送信された第一のビットマップを受信した後、前記方法はさらに、
前記端末装置が前記ネットワーク装置から送信された第一の指示情報を受信し、前記第一の指示情報が、前記第一の周波数領域リソースユニットにおける、前記端末装置のデータの伝送に利用不可能である時間領域リソースを示すことに用いられることを含み、
前記端末装置が、前記第一のビットマップに示される時間領域リソースで前記ネットワーク装置とデータの伝送を行うことは、
前記端末装置が、前記第一のビットマップに示される時間領域リソースにおける、前記第一の指示情報に示される時間領域リソース以外の時間領域リソースで前記ネットワーク装置とデータの伝送を行うことを含むことを特徴とする
請求項１−５のいずれか一項に記載の方法。
【請求項７】
前記第一の指示情報は、第二のビットマップであり、前記第二のビットマップにおける各ビットが、前記第一の周波数領域リソースユニットにおける少なくとも一つの時間領域リソースユニットに対応し、前記第二のビットマップにおける各ビットの値が、対応する少なくとも一つの時間領域リソースユニットが前記端末装置のデータの伝送に用いられるか否かを示すことに用いられることを特徴とする
請求項６に記載の方法。
【請求項８】
前記方法はさらに、
前記端末装置が前記ネットワーク装置から送信された第二の指示情報を受信し、前記第二の指示情報が、前記ネットワーク装置が前記端末装置に割り当てた少なくとも一つの周波数領域リソースユニットを示すことに用いられ、前記少なくとも一つの周波数領域リソースユニットが前記第一の周波数領域リソースユニットを含むことを含むことを特徴とする
請求項１−７のいずれか一項に記載の方法。
【請求項９】
前記第二の指示情報は、第三のビットマップであり、前記第三のビットマップにおけるビットが、システム帯域幅における周波数領域リソースユニットと１対１で対応し、前記第三のビットマップにおけるビットの値が、対応する周波数領域リソースユニットが前記端末装置のデータの伝送に用いられるか否かを示すことに用いられることを特徴とする
請求項８に記載の方法。
【請求項１０】
前記第二の指示情報は、具体的に前記少なくとも一つの周波数領域リソースユニットの前記システム帯域幅における開始位置、前記少なくとも一つの周波数領域リソースユニットの前記システム帯域幅における終了位置及び前記少なくとも一つの周波数領域リソースユニットの周波数領域における長さのうちの少なくなくとも２つを示すことに用いられることを特徴とする
請求項８に記載の方法。
【請求項１１】
前記周波数領域リソースユニットは、リソースブロック（ＰＲＢ）、リソースブロックグループ又はサブバンドであることを特徴とする
請求項１−１０のいずれか一項に記載の方法。
【請求項１２】
無線通信方法であって、
ネットワーク装置が、端末装置へ第一のビットマップを送信し、前記第一のビットマップが、前記ネットワーク装置が第一の周波数領域リソースユニット内で前記端末装置に割り当てた時間領域リソースを示すことに用いられることを含む、前記無線通信方法。
【請求項１３】
前記第一のビットマップにおける各ビットは、前記第一の周波数領域リソースユニットにおける少なくとも一つの時間領域リソースユニットに対応し、前記第一のビットマップにおける各ビットの値は、対応する少なくとも一つの時間領域リソースユニットが前記端末装置のデータの伝送に用いられるか否かを示すことに用いられることを特徴とする
請求項１２に記載の方法。
【請求項１４】
前記第一のビットマップにおけるビットは、前記第一の周波数領域リソースユニットにおける時間領域リソースユニットと１対１で対応することを特徴とする
請求項１３に記載の方法。
【請求項１５】
前記第一のビットマップにおけるビットの左から右への順序は、前記第一の周波数領域リソースユニットにおける時間領域リソースユニットの先後順序と一致することを特徴とする
請求項１３又は１４に記載の方法。
【請求項１６】
前記時間領域リソースユニットは、シンボル、シンボルグループ、タイムスロットとマイクロタイムスロットのうちの少なくとも一つであることを特徴とする
請求項１３−１５のいずれか一項に記載の方法。
【請求項１７】
前記ネットワーク装置が端末装置へ第一のビットマップを送信した後、前記方法はさらに、
前記ネットワーク装置が前記端末装置へ第一の指示情報を送信し、前記第一の指示情報が、前記第一の周波数領域リソースユニットにおける、前記端末装置のデータの伝送に利用不可能である時間領域リソースを示すことに用いられることを含むことを特徴とする
請求項１２−１６のいずれか一項に記載の方法。
【請求項１８】
前記第一の指示情報は、第二のビットマップであり、前記第二のビットマップにおける各ビットが、前記第一の周波数領域リソースユニットにおける少なくとも一つの時間領域リソースユニットに対応し、前記第二のビットマップにおける各ビットの値が、対応する少なくとも一つの時間領域リソースユニットが前記端末装置のデータの伝送に用いられるか否かを示すことに用いられることを特徴とする
請求項１７に記載の方法。
【請求項１９】
前記方法はさらに、
前記ネットワーク装置が、前記端末装置へ第二の指示情報を送信し、前記第二の指示情報が、前記ネットワーク装置が前記端末装置に割り当てた少なくとも一つの周波数領域リソースユニットを示すことに用いられ、前記少なくとも一つの周波数領域リソースユニットが前記第一の周波数領域リソースユニットを含むことを含むことを特徴とする
請求項１２−１８のいずれか一項に記載の方法。
【請求項２０】
前記第二の指示情報は、第三のビットマップであり、前記第三のビットマップにおけるビットが、システム帯域幅における周波数領域リソースユニットと１対１で対応し、前記第三のビットマップにおけるビットの値が、対応する周波数領域リソースユニットが前記端末装置のデータの伝送に用いられるか否かを示すことに用いられることを特徴とする
請求項１９に記載の方法。
【請求項２１】
前記第二の指示情報は、具体的に前記少なくとも一つの周波数領域リソースユニットの前記システム帯域幅における開始位置、前記少なくとも一つの周波数領域リソースユニットの前記システム帯域幅における終了位置及び前記少なくとも一つの周波数領域リソースユニットの周波数領域における長さのうちの少なくなくとも２つを示すことに用いられることを特徴とする
請求項１９に記載の方法。
【請求項２２】
前記周波数領域リソースユニットは、リソースブロック（ＰＲＢ）、リソースブロックグループ又はサブバンドであることを特徴とする
請求項１２−２１のいずれか一項に記載の方法。
【請求項２３】
端末装置であって、
ネットワーク装置から送信された第一のビットマップを受信するように構成され、前記第一のビットマップが、前記ネットワーク装置が第一の周波数領域リソースユニット内で前記端末装置に割り当てた時間領域リソースを示すことに用いられる第一の受信ユニットと、
前記第一のビットマップに示される時間領域リソースで前記ネットワーク装置とデータの伝送を行うように構成される伝送ユニットとを備える、前記端末装置。
【請求項２４】
前記第一のビットマップにおける各ビットは、前記第一の周波数領域リソースユニットにおける少なくとも一つの時間領域リソースユニットに対応し、前記第一のビットマップにおける各ビットの値は、対応する少なくとも一つの時間領域リソースユニットが前記端末装置のデータの伝送に用いられるか否かを示すことに用いられることを特徴とする
請求項２３に記載の端末装置。
【請求項２５】
前記第一のビットマップにおけるビットは、前記第一の周波数領域リソースユニットにおける時間領域リソースユニットと１対１で対応することを特徴とする
請求項２４に記載の端末装置。
【請求項２６】
前記第一のビットマップにおけるビットの左から右への順序は、前記第一の周波数領域リソースユニットにおける時間領域リソースユニットの先後順序と一致することを特徴とする
請求項２４又は２５に記載の端末装置。
【請求項２７】
前記時間領域リソースユニットは、シンボル、シンボルグループ、タイムスロットとマイクロタイムスロットのうちの少なくとも一つであることを特徴とする
請求項２４−２６のいずれか一項に記載の端末装置。
【請求項２８】
前記端末装置は、
前記ネットワーク装置から送信された第一の指示情報を受信するように構成され、前記第一の指示情報が、前記第一の周波数領域リソースユニットにおける、前記端末装置のデータの伝送に利用不可能である時間領域リソースを示すことに用いられる第二の受信ユニットを備え、
前記伝送ユニットは具体的に、
前記第一のビットマップに示される時間領域リソースにおける、前記第一の指示情報に示される時間領域リソース以外の時間領域リソースで前記ネットワーク装置とデータの伝送を行うように構成されることを特徴とする
請求項２３−２７のいずれか一項に記載の端末装置。
【請求項２９】
前記第一の指示情報は第二のビットマップであり、前記第二のビットマップにおける各ビットが、前記第一の周波数領域リソースユニットにおける少なくとも一つの時間領域リソースユニットに対応し、前記第二のビットマップにおける各ビットの値が、対応する少なくとも一つの時間領域リソースユニットが前記端末装置のデータの伝送に用いられるか否かを示すことに用いられることを特徴とする
請求項２８に記載の端末装置。
【請求項３０】
前記端末装置は、
前記ネットワーク装置から送信された第二の指示情報を受信するように構成され、前記第二の指示情報が、前記ネットワーク装置が前記端末装置に割り当てた少なくとも一つの周波数領域リソースユニットを示すことに用いられ、前記少なくとも一つの周波数領域リソースユニットが前記第一の周波数領域リソースユニットを含む第三の受信ユニットを備えることを特徴とする
請求項２３−２９のいずれか一項に記載の端末装置。
【請求項３１】
前記第二の指示情報は、第三のビットマップであり、前記第三のビットマップにおけるビットが、システム帯域幅における周波数領域リソースユニットと１対１で対応し、前記第三のビットマップにおけるビットの値が、対応する周波数領域リソースユニットが前記端末装置のデータの伝送に用いられるか否かを示すことに用いられることを特徴とする
請求項３０に記載の端末装置。
【請求項３２】
前記第二の指示情報は、具体的に前記少なくとも一つの周波数領域リソースユニットの前記システム帯域幅における開始位置、前記少なくとも一つの周波数領域リソースユニットの前記システム帯域幅における終了位置及び前記少なくとも一つの周波数領域リソースユニットの周波数領域における長さのうちの少なくなくとも２つを示すことに用いられることを特徴とする
請求項３０に記載の端末装置。
【請求項３３】
前記周波数領域リソースユニットは、リソースブロック（ＰＲＢ）、リソースブロックグループ又はサブバンドであることを特徴とする
請求項２３−３２のいずれか一項に記載の端末装置。
【請求項３４】
ネットワーク装置であって、
端末装置へ第一のビットマップを送信するように構成され、前記第一のビットマップが、前記ネットワーク装置が第一の周波数領域リソースユニット内で前記端末装置に割り当てた時間領域リソースを示すことに用いられる第一の送信ユニットを備える、前記ネットワーク装置。
【請求項３５】
前記第一のビットマップにおける各ビットは、前記第一の周波数領域リソースユニットにおける少なくとも一つの時間領域リソースユニットに対応し、前記第一のビットマップにおける各ビットの値は、対応する少なくとも一つの時間領域リソースユニットが前記端末装置のデータの伝送に用いられるか否かを示すことに用いられることを特徴とする
請求項３４に記載のネットワーク装置。
【請求項３６】
前記第一のビットマップにおけるビットは、前記第一の周波数領域リソースユニットにおける時間領域リソースユニットと１対１で対応することを特徴とする
請求項３５に記載のネットワーク装置。
【請求項３７】
前記第一のビットマップにおけるビットの左から右への順序は、前記第一の周波数領域リソースユニットにおける時間領域リソースユニットの先後順序と一致することを特徴とする
請求項３５又は３６に記載のネットワーク装置。
【請求項３８】
前記時間領域リソースユニットは、シンボル、シンボルグループ、タイムスロットとマイクロタイムスロットのうちの少なくとも一つであることを特徴とする
請求項３５−３７のいずれか一項に記載のネットワーク装置。
【請求項３９】
前記ネットワーク装置はさらに、
前記端末装置へ第一の指示情報を送信するように構成され、前記第一の指示情報が、前記第一の周波数領域リソースユニットにおける、前記端末装置のデータの伝送に利用不可能である時間領域リソースを示すことに用いられる第二の送信ユニットを備えることを特徴とする
請求項３４−３８のいずれか一項に記載のネットワーク装置。
【請求項４０】
前記第一の指示情報は第二のビットマップであり、前記第二のビットマップにおける各ビットが、前記第一の周波数領域リソースユニットにおける少なくとも一つの時間領域リソースユニットに対応し、前記第二のビットマップにおける各ビットの値が、対応する少なくとも一つの時間領域リソースユニットが前記第二の端末装置のデータの伝送に用いられるか否かを示すことに用いられることを特徴とする
請求項３９に記載のネットワーク装置。
【請求項４１】
前記ネットワーク装置はさらに、
前記端末装置へ第二の指示情報を送信するように構成され、前記第二の指示情報が、前記ネットワーク装置が前記端末装置に割り当てた少なくとも一つの周波数領域リソースユニットを示すことに用いられ、前記少なくとも一つの周波数領域リソースユニットが前記第一の周波数領域リソースユニットを含む第三の送信ユニットを備えることを特徴とする
請求項３４−４０のいずれか一項に記載のネットワーク装置。
【請求項４２】
前記第二の指示情報は、第三のビットマップであり、前記第三のビットマップにおけるビットが、システム帯域幅における周波数領域リソースユニットと１対１で対応し、前記第三のビットマップにおけるビットの値が、対応する周波数領域リソースユニットが前記端末装置のデータの伝送に用いられるか否かを示すことに用いられることを特徴とする
請求項４１に記載のネットワーク装置。
【請求項４３】
前記第二の指示情報は、具体的に前記少なくとも一つの周波数領域リソースユニットの前記システム帯域幅における開始位置、前記少なくとも一つの周波数領域リソースユニットの前記システム帯域幅における終了位置及び前記少なくとも一つの周波数領域リソースユニットの周波数領域における長さのうちの少なくなくとも２つを示すことに用いられることを特徴とする
請求項４１に記載のネットワーク装置。
【請求項４４】
前記周波数領域リソースユニットは、リソースブロック（ＰＲＢ）、リソースブロックグループ又はサブバンドであることを特徴とする
請求項３４−４３のいずれか一項に記載のネットワーク装置。
【発明の詳細な説明】
【技術分野】
【０００１】
本出願の実施例は通信分野に関し、且つより具体的には、無線通信方法、端末装置とネットワーク装置に関する。
【背景技術】
【０００２】
長期進化型（ＬＴＥ：Ｌｏｎｇ  Ｔｅｒｍ  Ｅｖｏｌｕｔｉｏｎ）システムでは、データチャネルリソースを割り当てる時間領域粒度は、タイムスロット（７つのシンボルを含む）とサブフレーム（１４つのシンボルを含む）であり、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、タイムスロット、サブフレームを時間領域単位としてデータチャネルの時間周波数リソースをスケジューリングすればよい。しかし、このスケジューリング方式は、時間領域の柔軟性が低く、リソース割り当ての遅延が大きく、リソースの断片化が容易であり、効率的なリソース割り当てを達成できない。
【発明の概要】
【発明が解決しようとする課題】
【０００３】
これに鑑みて、本出願の実施例は、時間領域スケジューリングの柔軟性を向上させることができる無線通信方法、端末装置及びネットワーク装置を提供する。
【課題を解決するための手段】
【０００４】
第一の態様による無線通信方法は、端末装置がネットワーク装置から送信された第一のビットマップ（ｂｉｔｍａｐ）を受信し、該第一のビットマップが、該ネットワーク装置が第一の周波数領域リソースユニット内で該端末装置に割り当てた時間領域リソースを示すことに用いられることと、該端末装置が該第一のビットマップに示される時間領域リソースで該ネットワーク装置とデータの伝送を行うこととを含む。
【０００５】
連続的に分散された時間領域リソースだけでなく、不連続な時間領域リソースをビットマップ（ｂｉｔｍａｐ）で示すことができるため、時間領域スケジューリングの柔軟性を向上させることができる。
【０００６】
周波数領域リソースユニットは、時間領域において一つのスケジューリングユニットであってもよく、例えば、ＬＴＥにおけるサブフレーム又はタイムスロットであってもよいし、新しいシステム例えば５Ｇにおけるマイクロタイムスロット又は特定の数のシンボルからなる時間領域スケジューリングユニットであってもよい。周波数領域リソースユニットは、周波数領域において一つのスケジューリングユニットであってもよいし、ＬＴＥにおける物理リソースブロック（ＰＲＢ：ｐｈｙｓｉｃａｌ  ｒｅｓｏｕｒｃｅ  ｂｌｏｃｋ）、リソースブロックグループ例えばＬＴＥにおけるリソースブロックグループ（ＲＢＧ：ｒｅｓｏｕｒｃｅ  ｂｌｏｃｋ  ｇｒｏｕｐ）又は新しいシステムにおける特定の数のリソースブロックグループからなる周波数領域スケジューリングユニットであってもよいし、一つのサブバンド（ｓｕｂ−ｂａｎｄ）であってもよい。
【０００７】
一つの可能な実施形態では、該第一のビットマップにおける各ビットは、該第一の周波数領域リソースユニットにおける少なくとも一つの時間領域リソースユニットに対応し、該第一のビットマップにおける各ビットの値は対応する少なくとも一つの時間領域リソースユニットが該データの伝送に用いられるか否かを示すことに用いられる。
【０００８】
一つの可能な実施形態では、該第一のビットマップにおけるビットは該第一の周波数領域リソースユニットにおける時間領域リソースユニットと１対１で対応する。
【０００９】
選択可能に、第一のビットマップ（ｂｉｔｍａｐ）における複数のビットと第一の周波数領域リソースユニットにおけるいくつかの時間領域リソースとの異なるマッピング関係は、該端末装置のデータの伝送に用いられるか否かを示すことができる。
【００１０】
一つの可能な実施形態では、前記第一のビットマップにおけるビットの左から右への順序は、前記第一の周波数領域リソースユニットにおける時間領域リソースユニットの先後順序と一致する。
【００１１】
選択可能に、該第一のビットマップ（ｂｉｔｍａｐ）におけるビットの左から右への順序は第一の周波数領域リソースの時間領域リソースユニットの順序と一致しなくてもよい。
【００１２】
一つの可能な実施形態では、該時間領域リソースユニットは、シンボル、シンボルグループ、タイムスロットとマイクロタイムスロットのうちの少なくとも一つである。
【００１３】
一つの可能な実施形態では、該端末装置がネットワーク装置から送信された第一のビットマップ（ｂｉｔｍａｐ）を受信した後、該方法はさらに該端末装置が該ネットワーク装置から送信された第一の指示情報を受信し、該第一の指示情報が該第一の周波数領域リソースユニットにおける、該端末装置のデータの伝送に利用不可能な時間領域リソースを示すことに用いられることを含み、該端末装置が該第一のビットマップに示される時間領域リソースで該ネットワーク装置とデータの伝送を行うことは、該端末装置が該第一のビットマップに示される時間領域リソースにおける、該第一の指示情報に示される時間領域リソース以外の時間領域リソースで該ネットワーク装置とデータの伝送を行うことを含む。
【００１４】
連続的に分散された時間領域リソースだけでなく、不連続な時間領域リソースをビットマップ（ｂｉｔｍａｐ）で示すことができるため、時間領域スケジューリングの柔軟性を向上させることができる。
【００１５】
一つの可能な実施形態では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が、対応する少なくとも一つの時間領域リソースユニットが該端末装置のデータの伝送に用いられるか否かを示すことに用いられる。
【００１６】
一つの可能な実施形態では、該方法は、さらに該端末装置が該ネットワーク装置から送信された第二の指示情報を受信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００１７】
一つの可能な実施形態では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００１８】
一つの可能な実施形態では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００１９】
一つの可能な実施形態では、該周波数領域リソースユニットは、リソースブロック（ＰＲＢ）、リソースブロックグループ又はサブバンドである。
【００２０】
第二の態様による無線通信方法は、ネットワーク装置が端末装置へ第一のビットマップを送信し、該第一のビットマップが、該ネットワーク装置が第一の周波数領域リソースユニット内で該端末装置に割り当てた時間領域リソースを示すことに用いられることを含む。
【００２１】
一つの可能な実施形態では、該第一のビットマップにおける各ビットは該第一の周波数領域リソースユニットにおける少なくとも一つの時間領域リソースユニットに対応し、該第一のビットマップにおける各ビットの値は対応する少なくとも一つの時間領域リソースユニットが該端末装置のデータの伝送に用いられるか否かを示すことに用いられる。
【００２２】
一つの可能な実施形態では、該第一のビットマップにおけるビットは該第一の周波数領域リソースユニットにおける時間領域リソースユニットと１対１で対応する。
【００２３】
一つの可能な実施形態では、前記第一のビットマップにおけるビットの左から右への順序は、前記第一の周波数領域リソースユニットにおける時間領域リソースユニットの先後順序と一致する。
【００２４】
一つの可能な実施形態では、該時間領域リソースユニットは、シンボル、シンボルグループ、タイムスロットとマイクロタイムスロットのうちの少なくとも一つである。
【００２５】
一つの可能な実施形態では、該ネットワーク装置が端末装置へ第一のビットマップを送信した後、該方法はさらに該ネットワーク装置が該端末装置へ第一の指示情報を送信し、該第一の指示情報が該第一の周波数領域リソースユニットにおける、該端末装置のデータの伝送に利用不可能な時間領域リソースを示すことに用いられることを含む。
【００２６】
一つの可能な実施形態では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が、対応する少なくとも一つの時間領域リソースユニットが該端末装置のデータの伝送に用いられるか否かを示すことに用いられる。
【００２７】
一つの可能な実施形態では、該方法は、さらに該ネットワーク装置が該端末装置へ第二の指示情報を送信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００２８】
一つの可能な実施形態では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００２９】
一つの可能な実施形態では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００３０】
一つの可能な実施形態では、該周波数領域リソースユニットはリソースブロック（ＰＲＢ）、リソースブロックグループ又はサブバンドである。
【００３１】
第三の態様による端末装置は、上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００３２】
第四の態様によるネットワーク装置は上記第二の態様又は第二の態様のいずれかの可能な実施形態における方法を実行することに用いられる。具体的には、該送受信ノードは、上記第二の態様又は第二の態様のいずれかの可能な実施形態における方法を実行するためのユニットを備える。
【００３３】
第五の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００３４】
第六の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは、命令を記憶するように構成され、該プロセッサは、該メモリに記憶された、上記第二の態様又は第二の態様のいずれかの可能な実施形態における方法を実行するための命令を実行するように構成する。
【００３５】
第七の態様によるコンピュータ記憶媒体は、上記第一の態様又は第一の態様のいずれかの可能な実施形態における方法、又は上記第二の態様又は第二の態様のいずれかの可能な実施形態における方法を実行するための、上記態様を実行するために設計されたプログラムを含むコンピュータソフトウェア命令を記憶することに用いられる。
【００３６】
本出願のこれらの態様又は他の態様は以下の実施例の説明からより容易に明らかになる。
【図面の簡単な説明】
【００３７】
【図１】本出願の実施例の一つの応用シーンを示す概略図である。
【図２】本出願の実施例の一つの具体的な応用シーンを示す概略ブロック図である。
【図３】本出願の実施例による無線通信方法を示す概略ブロック図である。
【図４】本出願の実施例による無線通信方法を示す別の概略ブロック図である。
【図５】本出願の実施例による無線通信方法を示す別の概略ブロック図である。
【図６】本出願の実施例による無線通信方法を示す別の概略ブロック図である。
【図７】本出願の実施例による無線通信方法を示す別の概略ブロック図である。
【図８】本出願の実施例による無線通信方法を示す別の概略ブロック図である。
【図９】本出願の実施例による端末装置を示す概略ブロック図である。
【図１０】本出願の実施例によるネットワーク装置を示す概略ブロック図である。
【図１１】本出願の実施例による端末装置を示す別の概略ブロック図である。
【図１２】本出願の実施例によるネットワーク装置を示す別の概略ブロック図である。
【発明を実施するための形態】
【００３８】
以下に本出願の実施例の図面を組み合わせながら、本出願の実施例における技術的解決策を明確に、全面的に説明する。
【００３９】
理解すべきものとして、本出願の実施例の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステムなどに応用されてもよい。
【００４０】
特に、本出願の実施例の技術的解決策は、非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は、非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００４１】
本出願の実施例における端末装置は、ユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例において限定されない。
【００４２】
本出願の実施例におけるネットワーク装置は、端末装置と通信するための装置であってもよく、該ネットワーク装置は、ＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例において限定されない。
【００４３】
図１は本出願の実施例の一つの応用シーンを示す概略図である。図１における通信システムは、端末装置１０とネットワーク装置２０を備えることができる。ネットワーク装置２０は、端末装置１０に通信サービスを提供することに用いられ且つコアネットワークにアクセスし、端末装置１０は、ネットワーク装置２０から送信された同期信号、ブロードキャスト信号などを検索してネットワークにアクセスし、それによってネットワークとの通信を行う。図１に示す矢印は、端末装置１０とネットワーク装置２０の間のセルラーリンクによるアップリンク／ダウンリンク伝送を表すことができる。
【００４４】
無線通信システムの進化に伴い、リソース割り当ての柔軟性を向上させ、遅延を低減するために、ＮＲ（ＮＲ：Ｎｅｗ  Ｒａｄｉｏ）システムでは、データチャネルの時間領域位置の柔軟性が大幅に向上し、シンボルを単位して割り当てる可能性があり、そしてデータチャネルの時間領域開始点と時間領域長さを柔軟に配置することができる。しかし、シンボルレベルのリソース割り当てにより、リソース領域の形状が不規則になり、一つのダウンリンク制御情報（ＤＣＩ：Ｄｏｗｎｌｉｎｋ  Ｃｏｎｔｒｏｌ  Ｉｎｆｏｒｍａｔｉｏｎ）スケジューリングの時間領域範囲で、いくつかのシンボルが使用されてもよく、いくつかのシンボルが他の端末にスケジュールされるため、使用不可能になる可能性があり、即ち、図２に示すように、一つの周波数領域リソースユニットにおける時間領域リソースが不連続に分散し、そして異なる周波数領域ユニットにおける利用可能なシンボルが異なる。時間領域開始点と時間領域長さを示す方法は、連続的に分散された時間領域リソースのみを示すことができるが、不連続な時間領域リソースの割り当てを実現することができない。
【００４５】
図３は本出願の実施例による無線通信方法１００を示す概略ブロック図である。図３に示すように、該方法１００は以下を含む。
【００４６】
Ｓ１１０において、端末装置は、ネットワーク装置から送信された第一のビットマップ（ｂｉｔｍａｐ）を受信し、該第一のビットマップが、該ネットワーク装置が第一の周波数領域リソースユニット内で該端末装置に割り当てた時間領域リソースを示すことに用いられる。
【００４７】
Ｓ１２０において、該端末装置は、該第一のビットマップに示される時間領域リソースで該ネットワーク装置とデータの伝送を行う。
【００４８】
ネットワーク装置は、ある周波数領域リソースユニットで割り当てられた時間領域リソースをビットマップ（ｂｉｔｍａｐ）によって端末装置に示すことができる。ここで、周波数領域リソースユニットは、時間領域において一つのスケジューリングユニットであってもよく、例えば、ＬＴＥにおけるサブフレーム又はタイムスロットであってもよいし、新しいシステム例えば５Ｇにおけるマイクロタイムスロット又は特定の数のシンボルからなる時間領域スケジューリングユニットであってもよい。周波数領域リソースユニットは、周波数領域において一つのスケジューリングユニットであってもよいし、ＬＴＥにおけるＰＲＢ、リソースブロックグループ例えばＬＴＥにおけるＲＢＧ又は新しいシステムにおける特定の数のリソースブロックグループからなる周波数領域スケジューリングユニットであってもよいし、一つのサブバンド（ｓｕｂ−ｂａｎｄ）などであってもよい。
【００４９】
理解すべきものとして、本出願の実施例では、第一のビットマップに示される時間領域リソースでデータの伝送を行うことは、該第一のビットマップに示される時間領域リソースでネットワーク装置から送信されたデータ、即ちダウンリンクデータをを受信することを含み、また、該第一のビットマップに示される時間領域リソースでネットワーク装置へデータ、即ちアップリンクデータを送信することを含む。
【００５０】
ビットマップ（ｂｉｔｍａｐ）とは、ある要素に対応する値（Ｖａｌｕｅ）を一つのｂｉｔでマークすることである。本出願の実施例では、該第一のビットマップにおける各ビットは、該第一の周波数領域リソースユニットにおける少なくとも一つの時間領域リソースユニットに対応し、該第一のビットマップにおける各ビットの値は、対応する少なくとも一つの時間領域リソースユニットが該データの伝送に用いられるか否かを示すことに用いられる。
【００５１】
具体的には、ネットワーク装置は、一つの周波数領域リソースユニットにおける時間領域を複数のグループに分割することができ、各グループが一つのビットマップ（ｂｉｔｍａｐ）におけるビットで表される。例えば、１の場合、該ビットに対応する時間領域リソースユニットが該端末装置のデータの伝送に用いられてもよいことを示す。ビット値が０である場合、対応する時間領域リソースユニットが該端末装置のデータの伝送に用いられてもよいことを示すことができ、言い換えれば、値が１である場合、該ビットに対応する時間領域リソースユニットが該端末装置のデータに利用不可能であることを示す。例えば、一つの周波数領域リソースユニットが１４つのシンボルを含み、該１４つのシンボルを５つのグループに分割し、それぞれが１つのシンボル、２つのシンボル、３つのシンボル、４つのシンボルと４つのシンボルを含む。該ビットマップ（ｂｉｔｍａｐ）が５つのビットを含み、その中の一つのビットが一つのシンボルのグループに対応し、該ビットが１である場合、該グループにおける１つのシンボルが該端末装置のデータの伝送に用いられることを示すことができ、別のビットが２つのシンボルを含むグループに対応し、該ビットが１である場合、該グループにおける２つのシンボルが該端末装置のデータの伝送に用いられることを示すことができ、これによって類推することなどがある。
【００５２】
選択可能に、ネットワーク装置はさらに複数のビットとある周波数領域リソースユニットにおけるいくつかの時間領域リソースユニットとのマッピング関係によって対応する時間領域リソースユニットが該端末装置のデータの伝送に用いられるか否かを確定することができる。例えば、一つの周波数領域リソースユニットは１４つのシンボルを含み、ネットワーク装置は該周波数領域リソースユニットを時間領域において７つのグループに分割し、各グループが２つの隣接するシンボルを含み、ネットワーク装置は、各グループの時間領域リソースユニットがビットで以下のように示されると端末装置と予め定めることができる：１１が、各グループの２つのシンボルが全て該端末装置のデータの伝送に用いられことを示し、００、０１と１０が、全て各グループの２つのシンボルが全て該端末装置のデータの伝送などに利用不可能であることを示す。
【００５３】
選択可能に、ネットワーク装置は、第一のビットマップ（ｂｉｔｍａｐ）におけるビットを第一の周波数領域リソースユニットにおける時間領域リソースユニットと１対１で対応させることができる。即ち、一つのビットが一つの時間領域リソースユニットに対応する。上記第一の第一の周波数領域ユニットが１４つのシンボルを含むことを例とし、該第一のビットマップ（ｂｉｔｍａｐ）は１４つのビットを含み、該第一のビットマップ（ｂｉｔｍａｐ）の値が１１１０１１０１０１１１１１であり、そして該第一のビットマップ（ｂｉｔｍａｐ）におけるビットの左から右への順序が第一の周波数領域リソースの時間領域リソースユニットの順序を示すと仮定される場合、１１１０１１０１０１１１１１は、第一の周波数領域リソースユニットにおける１番目、２番目、３番目、５番目、６番目、８番目、１０番目、１１番目、１２番目、１３番目、１４番目の時間領域リソースユニットが全て該端末装置のデータの伝送に用いられてもよいことを示す。同様に、該第一のビットマップ（ｂｉｔｍａｐ）におけるビットの左から右への順序が非第一の周波数領域リソースの時間領域リソースユニットの順序を表すことができ、例えば、第一のビットマップ（ｂｉｔｍａｐ）における先頭の７つのビットが第一の周波数領域リソースユニットにおける１番目、３番目、５番目、７番目、９番目、１１番目、１３番目のシンボルを順次表し、後の７つのビットが第一の周波数領域リソースユニットにおける２番目、４番目、６番目、８番目、１０番目、１２番目、１４番目を順次表すと定められてもよい場合、１１１０１１０１０１１１１１は、第一の周波数領域リソースユニットにおける１番目、３番目、５番目、９番目、１１番目、２番目、６番目、８番目、１０番目、１２番目のシンボルがいずれも該端末装置のデータの伝送に用いられてもよいことを示す。
【００５４】
理解すべきものとして、上記時間領域リソースユニットは、シンボル、シンボルグループ、タイムスロットとマイクロタイムスロットのうちの少なくとも一つである。例えば、該第一の周波数領域リソースユニットは、２つのタイムスロットを含むことができ、１番目のタイムスロットを４つのシンボルグループに分割することができ、合計５つのビットで該２つのタイムスロットを表し、その中の先頭の４つのビットが１番目のタイムスロットにおける４つのシンボルグループに対応し、最後のビットが２番目のタイムスロットに対応し、例えば該第一のビットマップ（ｂｉｔｍａｐ）の値が１１００１である場合、１番目のタイムスロットにおける第一のグループと第二のグループの時間領域リソースが該端末装置のデータの伝送に用いられること、及び２番目のタイムスロットの時間領域リソース全体が該端末装置のデータの伝送に用いられてもよいことを示す。
【００５５】
選択可能に、本出願の実施例では、該端末装置がネットワーク装置から送信された第一のビットマップ（ｂｉｔｍａｐ）を受信した後、該方法はさらに該端末装置が該ネットワーク装置から送信された第一の指示情報を受信し、該第一の指示情報が該第一の周波数領域リソースユニットにおける、該端末装置のデータの伝送に利用不可能な時間領域リソースを示すことに用いられることを含み、該端末装置が該第一のビットマップに示される時間領域リソースで該ネットワーク装置とデータの伝送を行うことは、該端末装置が該第一のビットマップに示される時間領域リソースにおける、該第一の指示情報に示される時間領域リソース以外の時間領域リソースで該ネットワーク装置とデータの伝送を行うことを含む。
【００５６】
一般的には、ネットワーク装置がある周波数領域リソースユニットにおける配置状況を端末装置に予め示した後、ネットワーク装置は、第一の周波数領域リソースユニットにおける、該端末装置に元に割り当てられた時間領域リソースが該端末装置のデータの伝送に利用不可能であることを発見する場合、ネットワーク装置は、該端末装置に通知する必要があり、端末装置は第一の周波数領域リソースユニットにおける、そのデータを伝送するための時間領域リソースを更新することができる。例えば、端末装置によって送信された１番目のビットマップ（ｂｉｔｍａｐ）が１１００１１００１１００１１であり、ネットワーク装置によって送信された第一の指示情報が、シンボル３とシンボル４がいくつかの原因で該端末装置の伝送に利用不可能であることを示し、例えば、ネットワーク装置がシンボル３とシンボル４を他の端末装置に割り当てる可能性がある場合、端末装置は、該第一のビットマップ（ｂｉｔｍａｐ）が１１００００００１１００１１に更新されてもよいことを取得することができる。
【００５７】
選択可能に、本出願の実施例では、前記第一の指示情報は、第二のビットマップであり、前記第二のビットマップにおける各ビットが、前記第一の周波数領域リソースユニットにおける少なくとも一つの時間領域リソースユニットに対応し、前記第二のビットマップにおける各ビットの値が、対応する少なくとも一つの時間領域リソースユニットが前記端末装置のデータの伝送に用いられるか否かを示すことに用いられる。
【００５８】
該第二のビットマップの表示方法について第一のビットマップの表示方式を参照でき、簡潔にするために、ここで説明を省略する。
【００５９】
選択可能に、該第一の指示情報はさらに従来技術の解決策を用い、即ち該第一の周波数領域リソースユニットにおけるいくつかの時間領域リソースユニットの開始位置、時間領域における長さと終了位置のうちの少なくとも２つを示すことができる。端末装置は、開始位置と時間領域における長さ、開始位置と終了位置、時間領域における長さと終了位置などに基づき、第一の指示情報が第一の周波数領域リソースユニットのどの時間領域リソースユニットを示すかを確定することができる。
【００６０】
選択可能に、本出願の実施例では、該方法は、さらに該端末装置が該ネットワーク装置から送信された第二の指示情報を受信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００６１】
選択可能に、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００６２】
選択可能に、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００６３】
具体的には、ネットワーク装置は、どの周波数領域リソースユニットが該端末装置に割り当てられた時間領域リソースを含むかを端末装置に示すことができ、端末装置がネットワーク装置によって示された周波数領域リソースユニットの情報を受信した後、端末装置は、該周波数領域リソースユニットにおける全ての時間領域リソースが全て該端末装置のデータの伝送に用いられると考えることができ、端末装置が、ネットワーク装置が具体的にある周波数領域リソースユニットで端末装置に割り当てた時間領域リソースを受信するまで、端末装置はどの時間領域リソースが該端末装置のデータの伝送に用いられてもよいかを確定し、端末装置がネットワーク装置によって通知された、ある周波数領域リソースユニットでどの時間領域リソースユニットが該端末装置のデータの伝送に利用不可能であるかを受信するまで、端末装置はこれによってどの時間領域リソースユニットが該端末装置のデータの伝送に用いられるかを確定することができる。
【００６４】
したがって、本出願の実施例の無線通信方法により、連続的な時間領域リソース及び不連続な時間領域リソースを示すことができ、それによって時間領域スケジューリングの柔軟性を向上させることができる。
【００６５】
以下に図４〜図７を組み合わせながら本出願の実施例の方法を詳細に説明する。
【００６６】
実施例１において、図４に示すように、ネットワーク装置は、４つの周波数領域リソースユニット、長さが１４つのシンボルである範囲で端末１のデータチャネルに時間周波数リソースをスケジューリングするが、この範囲で一部のリソースは端末２と端末３に割り当てられる。各周波数領域リソースユニットに対して、１４ビット（ｂｉｔ）のビットマップ（ｂｉｔｍａｐ）を用いて時間領域リソースを端末１に示す。図４における例のように、周波数領域リソースユニット１及び２では、３番目、４番目のシンボルが端末２に割り当てられ、したがって、この２つの周波数領域リソースユニット内のリソース指示ビットマップ（ｂｉｔｍａｐ）が１１００１１１１１１１１１１である。周波数領域リソースユニット３及び４では、３番目、４番目のシンボルが端末２に割り当てられ、そして７−１０番目のシンボルが端末３に割り当てられ、したがって、この２つの周波数領域リソースユニット内のリソース指示ビットマップ（ｂｉｔｍａｐ）は１１００１１００００１１１１である。
【００６７】
実施例１の利点は、一つの周波数領域リソースユニット内のどの時間領域リソースユニットが自体のデータの伝送に用いられてもよいかをビットマップ（ｂｉｔｍａｐ）によって知ることができることにある。
【００６８】
実施例２において、この実施例と実施例１との違いは、時間領域リソース割り当て単位が一つのグループのシンボル（図５の例では２つのシンボルが一つのグループである）であることである。各周波数領域リソースユニットに対して、７ビット（ｂｉｔ）のビットマップ（ｂｉｔｍａｐ）を用いて時間領域リソースを端末１に示す。図５における例のように、周波数領域リソースユニット１及び２では、２番目のシンボルが端末２に割り当てられ、したがって、この２つの周波数領域リソースユニット内のリソース指示ビットマップ（ｂｉｔｍａｐ）は１０１１１１１である。周波数領域リソースユニット３及び４では、２番目のシンボルが端末２に割り当てられ、そして４番目、５番目のシンボルが端末３に割り当てられ、したがって、この２つの周波数領域リソースユニット内のリソース指示ビットマップ（ｂｉｔｍａｐ）は１０１００１１である。
【００６９】
実施例１と比較し、この方法の利点は、ビットマップ（ｂｉｔｍａｐ）のビット数が少ないため、オーバーヘッドが節約されることである。
【００７０】
実施例３において、本実施例と実施例１の違いは、端末に割り当てられない時間領域リソースをビットマップ（ｂｉｔｍａｐ）によって示すことである。図６における例のように、周波数領域リソースユニット１及び２では、３番目、４番目のシンボルが他の端末に割り当てられ、したがって、この２つの周波数領域リソースユニット内のリソース指示ビットマップ（ｂｉｔｍａｐ）は００１１００００００００００である。周波数領域リソースユニット３及び４では、３番目−４番目のシンボル及び７番目−１０番目のシンボルが他の端末に割り当てられ、したがって、この２つの周波数領域リソースユニット内のリソース指示ビットマップ（ｂｉｔｍａｐ）は００１１００１１１１００００である。端末は一つの大きな時間周波数リソース範囲からビットマップ（ｂｉｔｍａｐ）で示されるリソースを削除し、自体に割り当てられた時間周波数リソースを確定することができる。
【００７１】
実施例１と比較し、この方法の利点は、少なくとも２つの端末に割り当てられたリソースをビットマップ（ｂｉｔｍａｐ）で同時に示すことができるため、複数の端末のリソース指示が一つのグループのビットマップ（ｂｉｔｍａｐ）を共有でき、それによって制御シグナリングのオーバーヘッドを節約できることである。
【００７２】
実施例４において、この実施例と実施例３との違いは、時間領域リソース割り当て単位が一つのグループのシンボル（図７の例では２つのシンボルが一つのグループである）であることである。各周波数領域リソースユニットに対して、７ビット（ｂｉｔ）のビットマップ（ｂｉｔｍａｐ）を用いて時間領域リソースを端末１に示す。図７における例のように、周波数領域リソースユニット１及び２では、２番目のシンボルが端末２に割り当てられ、したがって、この２つの周波数領域リソースユニット内のリソース指示ビットマップ（ｂｉｔｍａｐ）は０１０００００である。周波数領域リソースユニット３及び４では、２番目のシンボルが端末２に割り当てられ、そして４番目、５番目のシンボルが端末３に割り当てられ、したがって、この２つの周波数領域リソースユニット内のリソース指示ビットマップ（ｂｉｔｍａｐ）は０１０１１００である。端末は一つの大きな時間周波数リソース範囲からビットマップ（ｂｉｔｍａｐ）で示されるリソースを削除し、自体に割り当てられた時間周波数リソースを確定することができる。
【００７３】
実施例３と比較し、この方法の利点は、ビットマップ（ｂｉｔｍａｐ）のビット数が少ないため、オーバーヘッドを節約できることである。
【００７４】
図８は本出願の実施例による無線通信方法２００を示す概略ブロック図である。図８に示すように、該方法２００は以下を含む。
【００７５】
Ｓ２１０において、ネットワーク装置は、端末装置へ第一のビットマップを送信し、該第一のビットマップが、該ネットワーク装置が第一の周波数領域リソースユニット内で該端末装置に割り当てた時間領域リソースを示すことに用いられる。
【００７６】
したがって、本出願の実施例の無線通信方法では、連続的な時間領域リソース及び不連続な時間領域リソースを示すことができ、それによって時間領域スケジューリングの柔軟性を向上させることができる。
【００７７】
選択可能に、本出願の実施例では、該第一のビットマップにおける各ビットは、該第一の周波数領域リソースユニットにおける少なくとも一つの時間領域リソースユニットに対応し、該第一のビットマップにおける各ビットの値は、対応する少なくとも一つの時間領域リソースユニットが該端末装置のデータの伝送に用いられるか否かを示すことに用いられる。
【００７８】
選択可能に、本出願の実施例では、該第一のビットマップにおけるビットは、該第一の周波数領域リソースユニットにおける時間領域リソースユニットと１対１で対応する。
【００７９】
選択可能に、本出願の実施例では、前記第一のビットマップにおけるビットの左から右への順序は、前記第一の周波数領域リソースユニットにおける時間領域リソースユニットの先後順序と一致する。
【００８０】
選択可能に、本出願の実施例では、該時間領域リソースユニットは、シンボル、シンボルグループ、タイムスロットとマイクロタイムスロットのうちの少なくとも一つである。
【００８１】
選択可能に、本出願の実施例では、該ネットワーク装置が端末装置へ第一のビットマップを送信した後、該方法はさらに該ネットワーク装置が該端末装置へ第一の指示情報を送信し、該第一の指示情報が該第一の周波数領域リソースユニットにおける、該端末装置のデータの伝送に利用不可能な時間領域リソースを示すことに用いられることを含む。
【００８２】
選択可能に、本出願の実施例では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が対応する少なくとも一つの時間領域リソースユニットが該端末装置のデータの伝送に用いられるか否かを示すことに用いられる。
【００８３】
選択可能に、本出願の実施例では、該方法は、さらに該ネットワーク装置が該端末装置へ第二の指示情報を送信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００８４】
選択可能に、本出願の実施例では、該第二の指示情報は、第三のビットマップであり、該第二のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００８５】
選択可能に、本出願の実施例では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００８６】
選択可能に、本出願の実施例では、該周波数領域リソースユニットはリソースブロック（ＰＲＢ）、リソースブロックグループ又はサブバンドである。
【００８７】
理解すべきものとして、ネットワーク装置で説明されるネットワーク装置と端末装置のインタラクション及び関連特性、機能などが端末装置の関連特性、機能に対応する。即ち、端末装置がネットワーク装置へ情報を送信すると、それに応じてネットワーク装置はこの情報を受信する。簡潔にするために、ここでは説明を省略する。
【００８８】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【００８９】
図９は本出願の実施例による信号を伝送するための端末装置３００を示す概略ブロック図である。図９に示すように、該端末装置３００は、以下を備える。
【００９０】
第一の受信ユニット３１０は、ネットワーク装置から送信された第一のビットマップを受信するように構成され、該第一のビットマップが、該ネットワーク装置が第一の周波数領域リソースユニット内で該端末装置に割り当てた時間領域リソースを示すことに用いられる。
【００９１】
伝送ユニット３２０は、該第一のビットマップに示される時間領域リソースで該ネットワーク装置とデータの伝送を行うように構成される。
【００９２】
したがって、本出願の実施例の端末装置では、連続的な時間領域リソース及び不連続な時間領域リソースを示すことができ、それによって時間領域スケジューリングの柔軟性を向上させることができる。
【００９３】
選択可能に、本出願の実施例では、該第一のビットマップにおける各ビットは該第一の周波数領域リソースユニットにおける少なくとも一つの時間領域リソースユニットに対応し、該第一のビットマップにおける各ビットの値は対応する少なくとも一つの時間領域リソースユニットが該データの伝送に用いられるか否かを示すことに用いられる。
【００９４】
選択可能に、本出願の実施例では、該第一のビットマップにおけるビットは該第一の周波数領域リソースユニットにおける時間領域リソースユニットと１対１で対応する。
【００９５】
選択可能に、本出願の実施例では、前記第一のビットマップにおけるビットの左から右への順序は、前記第一の周波数領域リソースユニットにおける時間領域リソースユニットの先後順序と一致する。
【００９６】
選択可能に、本出願の実施例では、該時間領域リソースユニットは、シンボル、シンボルグループ、タイムスロットとマイクロタイムスロットのうちの少なくとも一つである。
【００９７】
選択可能に、本出願の実施例では、該端末装置３００は、該ネットワーク装置から送信された第一の指示情報を受信するように構成され、該第一の指示情報が該第一の周波数領域リソースユニットにおける、該端末装置のデータの伝送に利用不可能な時間領域リソースを示すことに用いられる第二の受信ユニット３３０を備え、該伝送ユニット３２０は、具体的に該第一のビットマップに示される時間領域リソースにおける、該第一の指示情報に示される時間領域リソース以外の時間領域リソースで該ネットワーク装置とデータの伝送を行うように構成される。
【００９８】
選択可能に、本出願の実施例では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が、対応する少なくとも一つの時間領域リソースユニットが該端末装置のデータの伝送に用いられるか否かを示すことに用いられる。
【００９９】
選択可能に、本出願の実施例では、該端末装置３００は、該ネットワーク装置から送信された第二の指示情報を受信するように構成され、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含む第三の受信ユニット３４０を備える。
【０１００】
選択可能に、本出願の実施例では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【０１０１】
選択可能に、本出願の実施例では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【０１０２】
選択可能に、本出願の実施例では、該周波数領域リソースユニットはリソースブロック（ＰＲＢ）、リソースブロックグループ又はサブバンドである。
【０１０３】
理解すべきものとして、本出願の実施例による端末装置３００は本出願の方法の実施例における端末装置に対応してもよく、且つ端末装置３００の各ユニットの上記と他の操作及び／又は機能はそれぞれ図３の方法における端末装置の対応するプロセスを実現するためのものであり、簡潔するために、ここでは説明を省略する。
【０１０４】
図１０は本出願の実施例によるネットワーク装置４００を示す概略ブロック図である。図１０に示すように、該ネットワーク装置４００は、以下を備える。
【０１０５】
第一の送信ユニット４１０は、第一の端末装置へ第一のビットマップを受信するように構成され、該第一のビットマップが、該ネットワーク装置が第一の周波数領域リソースユニット内で該端末装置に割り当てた時間領域リソースを示すことに用いられる。
【０１０６】
したがって、本出願の実施例のネットワーク装置では、連続的な時間領域リソース及び不連続な時間領域リソースを示すことができ、それによって時間領域スケジューリングの柔軟性を向上させることができる。
【０１０７】
選択可能に、本出願の実施例では、該第一のビットマップにおける各ビットは、該第一の周波数領域リソースユニットにおける少なくとも一つの時間領域リソースユニットに対応し、該第一のビットマップにおける各ビットの値は、対応する少なくとも一つの時間領域リソースユニットが該第一の端末装置のデータの伝送に用いられるか否かを示すことに用いられる。
【０１０８】
選択可能に、本出願の実施例では、該第一のビットマップにおけるビットは、該第一の周波数領域リソースユニットにおける時間領域リソースユニットと１対１で対応する。
【０１０９】
選択可能に、本出願の実施例では、前記第一のビットマップにおけるビットの左から右への順序は、前記第一の周波数領域リソースユニットにおける時間領域リソースユニットの先後順序と一致する。
【０１１０】
選択可能に、本出願の実施例では、該時間領域リソースユニットは、シンボル、シンボルグループ、タイムスロットとマイクロタイムスロットのうちの少なくとも一つである。
【０１１１】
選択可能に、本出願の実施例では、該ネットワーク装置４００は、さらに該第一の端末装置へ第一の指示情報を送信するように構成され、該第一の指示情報が該第一の周波数領域リソースユニットにおける、該端末装置のデータの伝送に利用不可能な時間領域リソースを示すことに用いられる第二の送信ユニット４２０を備える。
【０１１２】
選択可能に、本出願の実施例では、該第一の指示情報は、第二のビットマップであり、該第二のビットマップにおける各ビットは、該第一の周波数領域リソースユニットにおける少なくとも一つの時間領域リソースユニットに対応し、該第二のビットマップにおける各ビットの値は対応する少なくとも一つの時間領域リソースユニットが該端末装置のデータの伝送に用いられるか否かを示すことに用いられる。
【０１１３】
選択可能に、本出願の実施例では、該ネットワーク装置４００は、該端末装置へ第二の指示情報を送信するように構成され、該第二の指示情報が、該ネットワーク装置が該第一の端末装置に割り当てた少なくとも一つの周波数領域リソースユニットを示すことに用いられ、該少なくとも一つの周波数領域リソースユニットが該第一の周波数領域リソースユニットを含む第三の送信ユニット４３０を備える。
【０１１４】
選択可能に、本出願の実施例では、該第二の指示情報は、第三のビットマップであり、該第二のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【０１１５】
選択可能に、本出願の実施例では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【０１１６】
選択可能に、本出願の実施例では、該周波数領域リソースユニットはリソースブロック（ＰＲＢ）、リソースブロックグループ又はサブバンドである。
【０１１７】
理解すべきものとして、本出願の実施例によるネットワーク装置４００は本出願の方法の実施例におけるネットワーク装置に対応してもよく、且つネットワーク装置４００の各ユニットの上記と他の操作及び／又は機能はそれぞれ図８の方法におけるネットワーク装置の対応するプロセスを実現するためのものであり、簡潔するために、ここでは説明を省略する。
【０１１８】
図１１に示すように、本出願の実施例はさらに図３の方法１００に対応する端末装置のコンテンツを実行することに用いられてもよい図９の端末装置３００とすることができる端末装置５００を提供する。該端末装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。前記メモリ５４０はプログラム、命令又はコードを記憶するように構成される。前記プロセッサ５３０は信号を受信するように入力インタフェース５１０を制御し、信号を送信するように出力インタフェース５２０を制御し、前記方法の実施例における操作を完了するために、前記メモリ５４０におけるプログラム、命令又はコードを実行するように構成される。
【０１１９】
したがって、本出願の実施例の端末装置では、連続的な時間領域リソース及び不連続な時間領域リソースを示すことができ、それによって時間領域スケジューリングの柔軟性を向上させることができる。
【０１２０】
理解すべきものとして、本出願の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２１】
該メモリ５４０は読み取り専用メモリとランダムアクセスメモリを含み、そしてプロセッサ５３０へ命令とデータを提供することができる。メモリ５４０の一部はさらに不揮発性ランダムアクセスメモリを含むことができる。例えば、メモリ５４０はさらに装置タイプの情報を記憶することができる。
【０１２２】
実施プロセスでは、上記方法の各内容は、プロセッサ５３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０１２３】
一つの具体的な実施形態では、端末装置３００における第一の受信ユニット３１０、第二の受信ユニット３３０と第三の受信ユニット３４０は、図１１における入力インタフェース５１０によって実現されてもよい。
【０１２４】
図１２に示すように、本出願の実施例はさらに図８の方法２００に対応するネットワーク装置のコンテンツを実行することに用いられてもよい図１０のネットワーク装置４００とすることができるネットワーク装置６００を提供する。該ネットワーク装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。前記メモリ６４０はプログラム、命令又はコードを記憶するように構成される。前記プロセッサ６３０は信号を受信するように入力インタフェース６１０を制御し、信号を送信するように出力インタフェース６２０を制御し、前記方法の実施例における操作を完了するために、前記メモリ６４０におけるプログラム、命令又はコードを実行するように構成される。
【０１２５】
したがって、本出願の実施例のネットワーク装置では、連続的な時間領域リソース及び不連続な時間領域リソースを示すことができ、それによって時間領域スケジューリングの柔軟性を向上させることができる。
【０１２６】
理解すべきものとして、本出願の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２７】
該メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０１２８】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１２９】
一つの具体的な実施形態では、第一の送信ユニット４１０、第二の送信ユニット４２０と第三の送信ユニット４３０は図１２における出力インタフェース６２０によって実現されてもよい。
【０１３０】
本出願の実施例は、さらに一つ又は複数のプログラムを記憶し、該一つ又は複数のプログラムが命令を含み、該命令が複数のアプリケーションプログラムを含む携帯型電子装置によって実行される時に、該携帯型電子装置に図３又は図８に示す実施例における方法を実行させることができるコンピュータ可読記憶媒体を提供する。
【０１３１】
本出願の実施例はさらにコンピュータプログラムを提供し、該コンピュータプログラムが命令を含み、コンピュータプログラムがコンピュータに実行される場合、コンピュータが図３又は図８に示す実施例における方法の対応するプロセスを実行することができる。
【０１３２】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１３３】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１３４】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分モードもあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインタフェース、装置又はユニットを介する間接的結合又は通信接続であってもよく、電気的、機械的又は他の形態であってもよい。
【０１３５】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０１３６】
また、本出願の各実施例における各機能ユニットは、一つの処理ユニットに統合されてもよく、個々のユニットは単独で物理的に存在してもよく、二つ又は二つ以上のユニットは一つのユニットに統合されてもよい。
【０１３７】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例における該方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１３８】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は請求項の保護範囲に準拠するべきである。
【図１】
2020519078.tif 000003
【図２】
2020519078.tif 000004
【図３】
2020519078.tif 000005
【図４】
2020519078.tif 000006
【図５】
2020519078.tif 000007
【図６】
2020519078.tif 000008
【図７】
2020519078.tif 000009
【図８】
2020519078.tif 000010
【図９】
2020519078.tif 000011
【図１０】
2020519078.tif 000012
【図１１】
2020519078.tif 000013
【図１２】
2020519078.tif 000014
【手続補正書】
【提出日】令和2年4月22日(2020.4.22)
【手続補正１】
【補正対象書類名】明細書
【補正対象項目名】全文
【補正方法】変更
【補正の内容】
【発明の詳細な説明】
【技術分野】
【０００１】
本出願の実施例は通信分野に関し、且つより具体的には、無線通信方法、端末装置とネットワーク装置に関する。
【背景技術】
【０００２】
長期進化型（ＬＴＥ：Ｌｏｎｇ  Ｔｅｒｍ  Ｅｖｏｌｕｔｉｏｎ）システムでは、データチャネルリソースを割り当てる時間領域粒度は、タイムスロット（７つのシンボルを含む）とサブフレーム（１４つのシンボルを含む）であり、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、タイムスロット、サブフレームを時間領域単位としてデータチャネルの時間周波数リソースをスケジューリングすればよい。しかし、このスケジューリング方式は、時間領域の柔軟性が低く、リソース割り当ての遅延が大きく、リソースの断片化が容易であり、効率的なリソース割り当てを達成できない。
【発明の概要】
【発明が解決しようとする課題】
【０００３】
これに鑑みて、本出願の実施例は、時間領域スケジューリングの柔軟性を向上させることができる無線通信方法、端末装置及びネットワーク装置を提供する。
【課題を解決するための手段】
【０００４】
第一の態様による無線通信方法は、端末装置がネットワーク装置から送信された第一のビットマップ（ｂｉｔｍａｐ）を受信し、該第一のビットマップが、該ネットワーク装置が第一の周波数領域リソースユニット内で該端末装置に割り当てた時間領域リソースを示すことに用いられることと、該端末装置が該第一のビットマップに示される時間領域リソースで該ネットワーク装置とデータの伝送を行うこととを含む。
【０００５】
連続的に分散された時間領域リソースだけでなく、不連続な時間領域リソースをビットマップ（ｂｉｔｍａｐ）で示すことができるため、時間領域スケジューリングの柔軟性を向上させることができる。
【０００６】
時間領域リソースユニットは、時間領域において一つのスケジューリングユニットであってもよく、例えば、ＬＴＥにおけるサブフレーム又はタイムスロットであってもよいし、新しいシステム例えば５Ｇにおけるマイクロタイムスロット又は特定の数のシンボルからなる時間領域スケジューリングユニットであってもよい。周波数領域リソースユニットは、周波数領域において一つのスケジューリングユニットであってもよいし、ＬＴＥにおける物理リソースブロック（ＰＲＢ：ｐｈｙｓｉｃａｌ  ｒｅｓｏｕｒｃｅ  ｂｌｏｃｋ）、リソースブロックグループ例えばＬＴＥにおけるリソースブロックグループ（ＲＢＧ：ｒｅｓｏｕｒｃｅ  ｂｌｏｃｋ  ｇｒｏｕｐ）又は新しいシステムにおける特定の数のリソースブロックグループからなる周波数領域スケジューリングユニットであってもよいし、一つのサブバンド（ｓｕｂ−ｂａｎｄ）であってもよい。
【０００７】
一つの可能な実施形態では、該第一のビットマップにおける各ビットは、該第一の周波数領域リソースユニットにおける少なくとも一つの時間領域リソースユニットに対応し、該第一のビットマップにおける各ビットの値は対応する少なくとも一つの時間領域リソースユニットが該データの伝送に用いられるか否かを示すことに用いられる。
【０００８】
一つの可能な実施形態では、該第一のビットマップにおけるビットは該第一の周波数領域リソースユニットにおける時間領域リソースユニットと１対１で対応する。
【０００９】
選択可能に、第一のビットマップ（ｂｉｔｍａｐ）における複数のビットと第一の周波数領域リソースユニットにおけるいくつかの時間領域リソースとの異なるマッピング関係は、該端末装置のデータの伝送に用いられるか否かを示すことができる。
【００１０】
一つの可能な実施形態では、前記第一のビットマップにおけるビットの左から右への順序は、前記第一の周波数領域リソースユニットにおける時間領域リソースユニットの先後順序と一致する。
【００１１】
選択可能に、該第一のビットマップ（ｂｉｔｍａｐ）におけるビットの左から右への順序は第一の周波数領域リソースの時間領域リソースユニットの順序と一致しなくてもよい。
【００１２】
一つの可能な実施形態では、該時間領域リソースユニットは、シンボル、シンボルグループ、タイムスロットとマイクロタイムスロットのうちの少なくとも一つである。
【００１３】
一つの可能な実施形態では、該端末装置がネットワーク装置から送信された第一のビットマップ（ｂｉｔｍａｐ）を受信した後、該方法はさらに該端末装置が該ネットワーク装置から送信された第一の指示情報を受信し、該第一の指示情報が該第一の周波数領域リソースユニットにおける、該端末装置のデータの伝送に利用不可能な時間領域リソースを示すことに用いられることを含み、該端末装置が該第一のビットマップに示される時間領域リソースで該ネットワーク装置とデータの伝送を行うことは、該端末装置が該第一のビットマップに示される時間領域リソースにおける、該第一の指示情報に示される時間領域リソース以外の時間領域リソースで該ネットワーク装置とデータの伝送を行うことを含む。
【００１４】
連続的に分散された時間領域リソースだけでなく、不連続な時間領域リソースをビットマップ（ｂｉｔｍａｐ）で示すことができるため、時間領域スケジューリングの柔軟性を向上させることができる。
【００１５】
一つの可能な実施形態では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が、対応する少なくとも一つの時間領域リソースユニットが該端末装置のデータの伝送に用いられるか否かを示すことに用いられる。
【００１６】
一つの可能な実施形態では、該方法は、さらに該端末装置が該ネットワーク装置から送信された第二の指示情報を受信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００１７】
一つの可能な実施形態では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００１８】
一つの可能な実施形態では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００１９】
一つの可能な実施形態では、該周波数領域リソースユニットは、リソースブロック（ＰＲＢ）、リソースブロックグループ又はサブバンドである。
【００２０】
第二の態様による無線通信方法は、ネットワーク装置が端末装置へ第一のビットマップを送信し、該第一のビットマップが、該ネットワーク装置が第一の周波数領域リソースユニット内で該端末装置に割り当てた時間領域リソースを示すことに用いられることを含む。
【００２１】
一つの可能な実施形態では、該第一のビットマップにおける各ビットは該第一の周波数領域リソースユニットにおける少なくとも一つの時間領域リソースユニットに対応し、該第一のビットマップにおける各ビットの値は対応する少なくとも一つの時間領域リソースユニットが該端末装置のデータの伝送に用いられるか否かを示すことに用いられる。
【００２２】
一つの可能な実施形態では、該第一のビットマップにおけるビットは該第一の周波数領域リソースユニットにおける時間領域リソースユニットと１対１で対応する。
【００２３】
一つの可能な実施形態では、前記第一のビットマップにおけるビットの左から右への順序は、前記第一の周波数領域リソースユニットにおける時間領域リソースユニットの先後順序と一致する。
【００２４】
一つの可能な実施形態では、該時間領域リソースユニットは、シンボル、シンボルグループ、タイムスロットとマイクロタイムスロットのうちの少なくとも一つである。
【００２５】
一つの可能な実施形態では、該ネットワーク装置が端末装置へ第一のビットマップを送信した後、該方法はさらに該ネットワーク装置が該端末装置へ第一の指示情報を送信し、該第一の指示情報が該第一の周波数領域リソースユニットにおける、該端末装置のデータの伝送に利用不可能な時間領域リソースを示すことに用いられることを含む。
【００２６】
一つの可能な実施形態では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が、対応する少なくとも一つの時間領域リソースユニットが該端末装置のデータの伝送に用いられるか否かを示すことに用いられる。
【００２７】
一つの可能な実施形態では、該方法は、さらに該ネットワーク装置が該端末装置へ第二の指示情報を送信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００２８】
一つの可能な実施形態では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００２９】
一つの可能な実施形態では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００３０】
一つの可能な実施形態では、該周波数領域リソースユニットはリソースブロック（ＰＲＢ）、リソースブロックグループ又はサブバンドである。
【００３１】
第三の態様による端末装置は、上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００３２】
第四の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００３３】
第五の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００３４】
第六の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは、命令を記憶するように構成され、該プロセッサは、該メモリに記憶された、上記第二の態様又は第二の態様のいずれかの可能な実施形態における方法を実行するための命令を実行するように構成する。
【００３５】
第七の態様によるコンピュータ記憶媒体は、上記第一の態様又は第一の態様のいずれかの可能な実施形態における方法、又は上記第二の態様又は第二の態様のいずれかの可能な実施形態における方法を実行するための、上記態様を実行するために設計されたプログラムを含むコンピュータソフトウエア命令を記憶することに用いられる。
【００３６】
本出願のこれらの態様又は他の態様は以下の実施例の説明からより容易に明らかになる。
【図面の簡単な説明】
【００３７】
【図１】本出願の実施例の一つの応用シーンを示す概略図である。
【図２】本出願の実施例の一つの具体的な応用シーンを示す概略ブロック図である。
【図３】本出願の実施例による無線通信方法を示す概略ブロック図である。
【図４】本出願の実施例による無線通信方法を示す別の概略ブロック図である。
【図５】本出願の実施例による無線通信方法を示す別の概略ブロック図である。
【図６】本出願の実施例による無線通信方法を示す別の概略ブロック図である。
【図７】本出願の実施例による無線通信方法を示す別の概略ブロック図である。
【図８】本出願の実施例による無線通信方法を示す別の概略ブロック図である。
【図９】本出願の実施例による端末装置を示す概略ブロック図である。
【図１０】本出願の実施例によるネットワーク装置を示す概略ブロック図である。
【図１１】本出願の実施例による端末装置を示す別の概略ブロック図である。
【図１２】本出願の実施例によるネットワーク装置を示す別の概略ブロック図である。
【発明を実施するための形態】
【００３８】
以下に本出願の実施例の図面を組み合わせながら、本出願の実施例における技術的解決策を明確に、全面的に説明する。
【００３９】
理解すべきものとして、本出願の実施例の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステムなどに応用されてもよい。
【００４０】
特に、本出願の実施例の技術的解決策は、非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は、非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００４１】
本出願の実施例における端末装置は、ユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例において限定されない。
【００４２】
本出願の実施例におけるネットワーク装置は、端末装置と通信するための装置であってもよく、該ネットワーク装置は、ＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例において限定されない。
【００４３】
図１は本出願の実施例の一つの応用シーンを示す概略図である。図１における通信システムは、端末装置１０とネットワーク装置２０を備えることができる。ネットワーク装置２０は、端末装置１０に通信サービスを提供することに用いられ且つコアネットワークにアクセスし、端末装置１０は、ネットワーク装置２０から送信された同期信号、ブロードキャスト信号などを検索してネットワークにアクセスし、それによってネットワークとの通信を行う。図１に示す矢印は、端末装置１０とネットワーク装置２０の間のセルラーリンクによるアップリンク／ダウンリンク伝送を表すことができる。
【００４４】
無線通信システムの進化に伴い、リソース割り当ての柔軟性を向上させ、遅延を低減するために、ＮＲ（ＮＲ：Ｎｅｗ  Ｒａｄｉｏ）システムでは、データチャネルの時間領域位置の柔軟性が大幅に向上し、シンボルを単位して割り当てる可能性があり、そしてデータチャネルの時間領域開始点と時間領域長さを柔軟に配置することができる。しかし、シンボルレベルのリソース割り当てにより、リソース領域の形状が不規則になり、一つのダウンリンク制御情報（ＤＣＩ：Ｄｏｗｎｌｉｎｋ  Ｃｏｎｔｒｏｌ  Ｉｎｆｏｒｍａｔｉｏｎ）スケジューリングの時間領域範囲で、いくつかのシンボルが使用されてもよく、いくつかのシンボルが他の端末にスケジュールされるため、使用不可能になる可能性があり、即ち、図２に示すように、一つの周波数領域リソースユニットにおける時間領域リソースが不連続に分散し、そして異なる周波数領域ユニットにおける利用可能なシンボルが異なる。時間領域開始点と時間領域長さを示す方法は、連続的に分散された時間領域リソースのみを示すことができるが、不連続な時間領域リソースの割り当てを実現することができない。
【００４５】
図３は本出願の実施例による無線通信方法１００を示す概略ブロック図である。図３に示すように、該方法１００は以下を含む。
【００４６】
Ｓ１１０において、端末装置は、ネットワーク装置から送信された第一のビットマップ（ｂｉｔｍａｐ）を受信し、該第一のビットマップが、該ネットワーク装置が第一の周波数領域リソースユニット内で該端末装置に割り当てた時間領域リソースを示すことに用いられる。
【００４７】
Ｓ１２０において、該端末装置は、該第一のビットマップに示される時間領域リソースで該ネットワーク装置とデータの伝送を行う。
【００４８】
ネットワーク装置は、ある周波数領域リソースユニットで割り当てられた時間領域リソースをビットマップ（ｂｉｔｍａｐ）によって端末装置に示すことができる。ここで、時間領域リソースユニットは、時間領域において一つのスケジューリングユニットであってもよく、例えば、ＬＴＥにおけるサブフレーム又はタイムスロットであってもよいし、新しいシステム例えば５Ｇにおけるマイクロタイムスロット又は特定の数のシンボルからなる時間領域スケジューリングユニットであってもよい。周波数領域リソースユニットは、周波数領域において一つのスケジューリングユニットであってもよいし、ＬＴＥにおけるＰＲＢ、リソースブロックグループ例えばＬＴＥにおけるＲＢＧ又は新しいシステムにおける特定の数のリソースブロックグループからなる周波数領域スケジューリングユニットであってもよいし、一つのサブバンド（ｓｕｂ−ｂａｎｄ）などであってもよい。
【００４９】
理解すべきものとして、本出願の実施例では、第一のビットマップに示される時間領域リソースでデータの伝送を行うことは、該第一のビットマップに示される時間領域リソースでネットワーク装置から送信されたデータ、即ちダウンリンクデータをを受信することを含み、また、該第一のビットマップに示される時間領域リソースでネットワーク装置へデータ、即ちアップリンクデータを送信することを含む。
【００５０】
ビットマップ（ｂｉｔｍａｐ）とは、ある要素に対応する値（Ｖａｌｕｅ）を一つのｂｉｔでマークすることである。本出願の実施例では、該第一のビットマップにおける各ビットは、該第一の周波数領域リソースユニットにおける少なくとも一つの時間領域リソースユニットに対応し、該第一のビットマップにおける各ビットの値は、対応する少なくとも一つの時間領域リソースユニットが該データの伝送に用いられるか否かを示すことに用いられる。
【００５１】
具体的には、ネットワーク装置は、一つの周波数領域リソースユニットにおける時間領域を複数のグループに分割することができ、各グループが一つのビットマップ（ｂｉｔｍａｐ）におけるビットで表される。例えば、１の場合、該ビットに対応する時間領域リソースユニットが該端末装置のデータの伝送に用いられてもよいことを示す。ビット値が０である場合、対応する時間領域リソースユニットが該端末装置のデータの伝送に用いられてもよいことを示すことができ、言い換えれば、値が１である場合、該ビットに対応する時間領域リソースユニットが該端末装置のデータに利用不可能であることを示す。例えば、一つの周波数領域リソースユニットが１４つのシンボルを含み、該１４つのシンボルを５つのグループに分割し、それぞれが１つのシンボル、２つのシンボル、３つのシンボル、４つのシンボルと４つのシンボルを含む。該ビットマップ（ｂｉｔｍａｐ）が５つのビットを含み、その中の一つのビットが一つのシンボルのグループに対応し、該ビットが１である場合、該グループにおける１つのシンボルが該端末装置のデータの伝送に用いられることを示すことができ、別のビットが２つのシンボルを含むグループに対応し、該ビットが１である場合、該グループにおける２つのシンボルが該端末装置のデータの伝送に用いられることを示すことができ、これによって類推することなどがある。
【００５２】
選択可能に、ネットワーク装置はさらに複数のビットとある周波数領域リソースユニットにおけるいくつかの時間領域リソースユニットとのマッピング関係によって対応する時間領域リソースユニットが該端末装置のデータの伝送に用いられるか否かを確定することができる。例えば、一つの周波数領域リソースユニットは１４つのシンボルを含み、ネットワーク装置は該周波数領域リソースユニットを時間領域において７つのグループに分割し、各グループが２つの隣接するシンボルを含み、ネットワーク装置は、各グループの時間領域リソースユニットがビットで以下のように示されると端末装置と予め定めることができる：１１が、各グループの２つのシンボルが全て該端末装置のデータの伝送に用いられことを示し、００、０１と１０が、全て各グループの２つのシンボルが全て該端末装置のデータの伝送などに利用不可能であることを示す。
【００５３】
選択可能に、ネットワーク装置は、第一のビットマップ（ｂｉｔｍａｐ）におけるビットを第一の周波数領域リソースユニットにおける時間領域リソースユニットと１対１で対応させることができる。即ち、一つのビットが一つの時間領域リソースユニットに対応する。上記第一の第一の周波数領域ユニットが１４つのシンボルを含むことを例とし、該第一のビットマップ（ｂｉｔｍａｐ）は１４つのビットを含み、該第一のビットマップ（ｂｉｔｍａｐ）の値が１１１０１１０１０１１１１１であり、そして該第一のビットマップ（ｂｉｔｍａｐ）におけるビットの左から右への順序が第一の周波数領域リソースの時間領域リソースユニットの順序を示すと仮定される場合、１１１０１１０１０１１１１１は、第一の周波数領域リソースユニットにおける１番目、２番目、３番目、５番目、６番目、８番目、１０番目、１１番目、１２番目、１３番目、１４番目の時間領域リソースユニットが全て該端末装置のデータの伝送に用いられてもよいことを示す。同様に、該第一のビットマップ（ｂｉｔｍａｐ）におけるビットの左から右への順序が非第一の周波数領域リソースの時間領域リソースユニットの順序を表すことができ、例えば、第一のビットマップ（ｂｉｔｍａｐ）における先頭の７つのビットが第一の周波数領域リソースユニットにおける１番目、３番目、５番目、７番目、９番目、１１番目、１３番目のシンボルを順次表し、後の７つのビットが第一の周波数領域リソースユニットにおける２番目、４番目、６番目、８番目、１０番目、１２番目、１４番目を順次表すと定められてもよい場合、１１１０１１０１０１１１１１は、第一の周波数領域リソースユニットにおける１番目、３番目、５番目、９番目、１１番目、２番目、６番目、８番目、１０番目、１２番目のシンボルがいずれも該端末装置のデータの伝送に用いられてもよいことを示す。
【００５４】
理解すべきものとして、上記時間領域リソースユニットは、シンボル、シンボルグループ、タイムスロットとマイクロタイムスロットのうちの少なくとも一つである。例えば、該第一の周波数領域リソースユニットは、２つのタイムスロットを含むことができ、１番目のタイムスロットを４つのシンボルグループに分割することができ、合計５つのビットで該２つのタイムスロットを表し、その中の先頭の４つのビットが１番目のタイムスロットにおける４つのシンボルグループに対応し、最後のビットが２番目のタイムスロットに対応し、例えば該第一のビットマップ（ｂｉｔｍａｐ）の値が１１００１である場合、１番目のタイムスロットにおける第一のグループと第二のグループの時間領域リソースが該端末装置のデータの伝送に用いられること、及び２番目のタイムスロットの時間領域リソース全体が該端末装置のデータの伝送に用いられてもよいことを示す。
【００５５】
選択可能に、本出願の実施例では、該端末装置がネットワーク装置から送信された第一のビットマップ（ｂｉｔｍａｐ）を受信した後、該方法はさらに該端末装置が該ネットワーク装置から送信された第一の指示情報を受信し、該第一の指示情報が該第一の周波数領域リソースユニットにおける、該端末装置のデータの伝送に利用不可能な時間領域リソースを示すことに用いられることを含み、該端末装置が該第一のビットマップに示される時間領域リソースで該ネットワーク装置とデータの伝送を行うことは、該端末装置が該第一のビットマップに示される時間領域リソースにおける、該第一の指示情報に示される時間領域リソース以外の時間領域リソースで該ネットワーク装置とデータの伝送を行うことを含む。
【００５６】
一般的には、ネットワーク装置がある周波数領域リソースユニットにおける配置状況を端末装置に予め示した後、ネットワーク装置は、第一の周波数領域リソースユニットにおける、該端末装置に元に割り当てられた時間領域リソースが該端末装置のデータの伝送に利用不可能であることを発見する場合、ネットワーク装置は、該端末装置に通知する必要があり、端末装置は第一の周波数領域リソースユニットにおける、そのデータを伝送するための時間領域リソースを更新することができる。例えば、端末装置によって送信された１番目のビットマップ（ｂｉｔｍａｐ）が１１００１１００１１００１１であり、ネットワーク装置によって送信された第一の指示情報が、シンボル５とシンボル６がいくつかの原因で該端末装置の伝送に利用不可能であることを示し、例えば、ネットワーク装置がシンボル５とシンボル６を他の端末装置に割り当てる可能性がある場合、端末装置は、該第一のビットマップ（ｂｉｔｍａｐ）が１１００００００１１００１１に更新されてもよいことを取得することができる。
【００５７】
選択可能に、本出願の実施例では、前記第一の指示情報は、第二のビットマップであり、前記第二のビットマップにおける各ビットが、前記第一の周波数領域リソースユニットにおける少なくとも一つの時間領域リソースユニットに対応し、前記第二のビットマップにおける各ビットの値が、対応する少なくとも一つの時間領域リソースユニットが前記端末装置のデータの伝送に用いられるか否かを示すことに用いられる。
【００５８】
該第二のビットマップの表示方法について第一のビットマップの表示方式を参照でき、簡潔にするために、ここで説明を省略する。
【００５９】
選択可能に、該第一の指示情報はさらに従来技術の解決策を用い、即ち該第一の周波数領域リソースユニットにおけるいくつかの時間領域リソースユニットの開始位置、時間領域における長さと終了位置のうちの少なくとも２つを示すことができる。端末装置は、開始位置と時間領域における長さ、開始位置と終了位置、時間領域における長さと終了位置などに基づき、第一の指示情報が第一の周波数領域リソースユニットのどの時間領域リソースユニットを示すかを確定することができる。
【００６０】
選択可能に、本出願の実施例では、該方法は、さらに該端末装置が該ネットワーク装置から送信された第二の指示情報を受信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００６１】
選択可能に、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００６２】
選択可能に、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００６３】
具体的には、ネットワーク装置は、どの周波数領域リソースユニットが該端末装置に割り当てられた時間領域リソースを含むかを端末装置に示すことができ、端末装置がネットワーク装置によって示された周波数領域リソースユニットの情報を受信した後、端末装置は、該周波数領域リソースユニットにおける全ての時間領域リソースが全て該端末装置のデータの伝送に用いられると考えることができ、端末装置が、ネットワーク装置が具体的にある周波数領域リソースユニットで端末装置に割り当てた時間領域リソースを受信するまで、端末装置はどの時間領域リソースが該端末装置のデータの伝送に用いられてもよいかを確定し、端末装置がネットワーク装置によって通知された、ある周波数領域リソースユニットでどの時間領域リソースユニットが該端末装置のデータの伝送に利用不可能であるかを受信するまで、端末装置はこれによってどの時間領域リソースユニットが該端末装置のデータの伝送に用いられるかを確定することができる。
【００６４】
したがって、本出願の実施例の無線通信方法により、連続的な時間領域リソース及び不連続な時間領域リソースを示すことができ、それによって時間領域スケジューリングの柔軟性を向上させることができる。
【００６５】
以下に図４〜図７を組み合わせながら本出願の実施例の方法を詳細に説明する。
【００６６】
実施例１において、図４に示すように、ネットワーク装置は、４つの周波数領域リソースユニット、長さが１４つのシンボルである範囲で端末１のデータチャネルに時間周波数リソースをスケジューリングするが、この範囲で一部のリソースは端末２と端末３に割り当てられる。各周波数領域リソースユニットに対して、１４ビット（ｂｉｔ）のビットマップ（ｂｉｔｍａｐ）を用いて時間領域リソースを端末１に示す。図４における例のように、周波数領域リソースユニット１及び２では、３番目、４番目のシンボルが端末２に割り当てられ、したがって、この２つの周波数領域リソースユニット内のリソース指示ビットマップ（ｂｉｔｍａｐ）が１１００１１１１１１１１１１である。周波数領域リソースユニット３及び４では、３番目、４番目のシンボルが端末２に割り当てられ、そして７−１０番目のシンボルが端末３に割り当てられ、したがって、この２つの周波数領域リソースユニット内のリソース指示ビットマップ（ｂｉｔｍａｐ）は１１００１１００００１１１１である。
【００６７】
実施例１の利点は、一つの周波数領域リソースユニット内のどの時間領域リソースユニットが自体のデータの伝送に用いられてもよいかをビットマップ（ｂｉｔｍａｐ）によって知ることができることにある。
【００６８】
実施例２において、この実施例と実施例１との違いは、時間領域リソース割り当て単位が一つのグループのシンボル（図５の例では２つのシンボルが一つのグループである）であることである。各周波数領域リソースユニットに対して、７ビット（ｂｉｔ）のビットマップ（ｂｉｔｍａｐ）を用いて時間領域リソースを端末１に示す。図５における例のように、周波数領域リソースユニット１及び２では、２番目のシンボルが端末２に割り当てられ、したがって、この２つの周波数領域リソースユニット内のリソース指示ビットマップ（ｂｉｔｍａｐ）は１０１１１１１である。周波数領域リソースユニット３及び４では、２番目のシンボルが端末２に割り当てられ、そして４番目、５番目のシンボルが端末３に割り当てられ、したがって、この２つの周波数領域リソースユニット内のリソース指示ビットマップ（ｂｉｔｍａｐ）は１０１００１１である。
【００６９】
実施例１と比較し、この方法の利点は、ビットマップ（ｂｉｔｍａｐ）のビット数が少ないため、オーバーヘッドが節約されることである。
【００７０】
実施例３において、本実施例と実施例１の違いは、端末に割り当てられない時間領域リソースをビットマップ（ｂｉｔｍａｐ）によって示すことである。図６における例のように、周波数領域リソースユニット１及び２では、３番目、４番目のシンボルが他の端末に割り当てられ、したがって、この２つの周波数領域リソースユニット内のリソース指示ビットマップ（ｂｉｔｍａｐ）は００１１００００００００００である。周波数領域リソースユニット３及び４では、３番目−４番目のシンボル及び７番目−１０番目のシンボルが他の端末に割り当てられ、したがって、この２つの周波数領域リソースユニット内のリソース指示ビットマップ（ｂｉｔｍａｐ）は００１１００１１１１００００である。端末は一つの大きな時間周波数リソース範囲からビットマップ（ｂｉｔｍａｐ）で示されるリソースを削除し、自体に割り当てられた時間周波数リソースを確定することができる。
【００７１】
実施例１と比較し、この方法の利点は、少なくとも２つの端末に割り当てられたリソースをビットマップ（ｂｉｔｍａｐ）で同時に示すことができるため、複数の端末のリソース指示が一つのグループのビットマップ（ｂｉｔｍａｐ）を共有でき、それによって制御シグナリングのオーバーヘッドを節約できることである。
【００７２】
実施例４において、この実施例と実施例３との違いは、時間領域リソース割り当て単位が一つのグループのシンボル（図７の例では２つのシンボルが一つのグループである）であることである。各周波数領域リソースユニットに対して、７ビット（ｂｉｔ）のビットマップ（ｂｉｔｍａｐ）を用いて時間領域リソースを端末１に示す。図７における例のように、周波数領域リソースユニット１及び２では、２番目のシンボルが端末２に割り当てられ、したがって、この２つの周波数領域リソースユニット内のリソース指示ビットマップ（ｂｉｔｍａｐ）は０１０００００である。周波数領域リソースユニット３及び４では、２番目のシンボルが端末２に割り当てられ、そして４番目、５番目のシンボルが端末３に割り当てられ、したがって、この２つの周波数領域リソースユニット内のリソース指示ビットマップ（ｂｉｔｍａｐ）は０１０１１００である。端末は一つの大きな時間周波数リソース範囲からビットマップ（ｂｉｔｍａｐ）で示されるリソースを削除し、自体に割り当てられた時間周波数リソースを確定することができる。
【００７３】
実施例３と比較し、この方法の利点は、ビットマップ（ｂｉｔｍａｐ）のビット数が少ないため、オーバーヘッドを節約できることである。
【００７４】
図８は本出願の実施例による無線通信方法２００を示す概略ブロック図である。図８に示すように、該方法２００は以下を含む。
【００７５】
Ｓ２１０において、ネットワーク装置は、端末装置へ第一のビットマップを送信し、該第一のビットマップが、該ネットワーク装置が第一の周波数領域リソースユニット内で該端末装置に割り当てた時間領域リソースを示すことに用いられる。
【００７６】
したがって、本出願の実施例の無線通信方法では、連続的な時間領域リソース及び不連続な時間領域リソースを示すことができ、それによって時間領域スケジューリングの柔軟性を向上させることができる。
【００７７】
選択可能に、本出願の実施例では、該第一のビットマップにおける各ビットは、該第一の周波数領域リソースユニットにおける少なくとも一つの時間領域リソースユニットに対応し、該第一のビットマップにおける各ビットの値は、対応する少なくとも一つの時間領域リソースユニットが該端末装置のデータの伝送に用いられるか否かを示すことに用いられる。
【００７８】
選択可能に、本出願の実施例では、該第一のビットマップにおけるビットは、該第一の周波数領域リソースユニットにおける時間領域リソースユニットと１対１で対応する。
【００７９】
選択可能に、本出願の実施例では、前記第一のビットマップにおけるビットの左から右への順序は、前記第一の周波数領域リソースユニットにおける時間領域リソースユニットの先後順序と一致する。
【００８０】
選択可能に、本出願の実施例では、該時間領域リソースユニットは、シンボル、シンボルグループ、タイムスロットとマイクロタイムスロットのうちの少なくとも一つである。
【００８１】
選択可能に、本出願の実施例では、該ネットワーク装置が端末装置へ第一のビットマップを送信した後、該方法はさらに該ネットワーク装置が該端末装置へ第一の指示情報を送信し、該第一の指示情報が該第一の周波数領域リソースユニットにおける、該端末装置のデータの伝送に利用不可能な時間領域リソースを示すことに用いられることを含む。
【００８２】
選択可能に、本出願の実施例では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が対応する少なくとも一つの時間領域リソースユニットが該端末装置のデータの伝送に用いられるか否かを示すことに用いられる。
【００８３】
選択可能に、本出願の実施例では、該方法は、さらに該ネットワーク装置が該端末装置へ第二の指示情報を送信し、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含むことを含む。
【００８４】
選択可能に、本出願の実施例では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【００８５】
選択可能に、本出願の実施例では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【００８６】
選択可能に、本出願の実施例では、該周波数領域リソースユニットはリソースブロック（ＰＲＢ）、リソースブロックグループ又はサブバンドである。
【００８７】
理解すべきものとして、ネットワーク装置で説明されるネットワーク装置と端末装置のインタラクション及び関連特性、機能などが端末装置の関連特性、機能に対応する。即ち、端末装置がネットワーク装置へ情報を送信すると、それに応じてネットワーク装置はこの情報を受信する。簡潔にするために、ここでは説明を省略する。
【００８８】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【００８９】
図９は本出願の実施例による信号を伝送するための端末装置３００を示す概略ブロック図である。図９に示すように、該端末装置３００は、以下を備える。
【００９０】
第一の受信ユニット３１０は、ネットワーク装置から送信された第一のビットマップを受信するように構成され、該第一のビットマップが、該ネットワーク装置が第一の周波数領域リソースユニット内で該端末装置に割り当てた時間領域リソースを示すことに用いられる。
【００９１】
伝送ユニット３２０は、該第一のビットマップに示される時間領域リソースで該ネットワーク装置とデータの伝送を行うように構成される。
【００９２】
したがって、本出願の実施例の端末装置では、連続的な時間領域リソース及び不連続な時間領域リソースを示すことができ、それによって時間領域スケジューリングの柔軟性を向上させることができる。
【００９３】
選択可能に、本出願の実施例では、該第一のビットマップにおける各ビットは該第一の周波数領域リソースユニットにおける少なくとも一つの時間領域リソースユニットに対応し、該第一のビットマップにおける各ビットの値は対応する少なくとも一つの時間領域リソースユニットが該データの伝送に用いられるか否かを示すことに用いられる。
【００９４】
選択可能に、本出願の実施例では、該第一のビットマップにおけるビットは該第一の周波数領域リソースユニットにおける時間領域リソースユニットと１対１で対応する。
【００９５】
選択可能に、本出願の実施例では、前記第一のビットマップにおけるビットの左から右への順序は、前記第一の周波数領域リソースユニットにおける時間領域リソースユニットの先後順序と一致する。
【００９６】
選択可能に、本出願の実施例では、該時間領域リソースユニットは、シンボル、シンボルグループ、タイムスロットとマイクロタイムスロットのうちの少なくとも一つである。
【００９７】
選択可能に、本出願の実施例では、該端末装置３００は、該ネットワーク装置から送信された第一の指示情報を受信するように構成され、該第一の指示情報が該第一の周波数領域リソースユニットにおける、該端末装置のデータの伝送に利用不可能な時間領域リソースを示すことに用いられる第二の受信ユニット３３０を備え、該伝送ユニット３２０は、具体的に該第一のビットマップに示される時間領域リソースにおける、該第一の指示情報に示される時間領域リソース以外の時間領域リソースで該ネットワーク装置とデータの伝送を行うように構成される。
【００９８】
選択可能に、本出願の実施例では、該第一の指示情報は、第二のビットマップであり、該第二のビットマップにおける各ビットが該第一の周波数領域リソースユニットにおける少なくとも一つの時間領域リソースユニットに対応し、該第二のビットマップにおける各ビットの値が、対応する少なくとも一つの時間領域リソースユニットが該端末装置のデータの伝送に用いられるか否かを示すことに用いられる。
【００９９】
選択可能に、本出願の実施例では、該端末装置３００は、該ネットワーク装置から送信された第二の指示情報を受信するように構成され、該第二の指示情報が、該ネットワーク装置が該端末装置に割り当てた少なくとも一つの周波数領域リソースユニットを示すことに用いられ、該少なくとも一つの周波数領域リソースユニットが該第一の周波数領域リソースユニットを含む第三の受信ユニット３４０を備える。
【０１００】
選択可能に、本出願の実施例では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【０１０１】
選択可能に、本出願の実施例では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【０１０２】
選択可能に、本出願の実施例では、該周波数領域リソースユニットはリソースブロック（ＰＲＢ）、リソースブロックグループ又はサブバンドである。
【０１０３】
理解すべきものとして、本出願の実施例による端末装置３００は本出願の方法の実施例における端末装置に対応してもよく、且つ端末装置３００の各ユニットの上記と他の操作及び／又は機能はそれぞれ図３の方法における端末装置の対応するプロセスを実現するためのものであり、簡潔するために、ここでは説明を省略する。
【０１０４】
図１０は本出願の実施例によるネットワーク装置４００を示す概略ブロック図である。図１０に示すように、該ネットワーク装置４００は、以下を備える。
【０１０５】
第一の送信ユニット４１０は、第一の端末装置へ第一のビットマップを受信するように構成され、該第一のビットマップが、該ネットワーク装置が第一の周波数領域リソースユニット内で該端末装置に割り当てた時間領域リソースを示すことに用いられる。
【０１０６】
したがって、本出願の実施例のネットワーク装置では、連続的な時間領域リソース及び不連続な時間領域リソースを示すことができ、それによって時間領域スケジューリングの柔軟性を向上させることができる。
【０１０７】
選択可能に、本出願の実施例では、該第一のビットマップにおける各ビットは、該第一の周波数領域リソースユニットにおける少なくとも一つの時間領域リソースユニットに対応し、該第一のビットマップにおける各ビットの値は、対応する少なくとも一つの時間領域リソースユニットが該第一の端末装置のデータの伝送に用いられるか否かを示すことに用いられる。
【０１０８】
選択可能に、本出願の実施例では、該第一のビットマップにおけるビットは、該第一の周波数領域リソースユニットにおける時間領域リソースユニットと１対１で対応する。
【０１０９】
選択可能に、本出願の実施例では、前記第一のビットマップにおけるビットの左から右への順序は、前記第一の周波数領域リソースユニットにおける時間領域リソースユニットの先後順序と一致する。
【０１１０】
選択可能に、本出願の実施例では、該時間領域リソースユニットは、シンボル、シンボルグループ、タイムスロットとマイクロタイムスロットのうちの少なくとも一つである。
【０１１１】
選択可能に、本出願の実施例では、該ネットワーク装置４００は、さらに該第一の端末装置へ第一の指示情報を送信するように構成され、該第一の指示情報が該第一の周波数領域リソースユニットにおける、該端末装置のデータの伝送に利用不可能な時間領域リソースを示すことに用いられる第二の送信ユニット４２０を備える。
【０１１２】
選択可能に、本出願の実施例では、該第一の指示情報は、第二のビットマップであり、該第二のビットマップにおける各ビットは、該第一の周波数領域リソースユニットにおける少なくとも一つの時間領域リソースユニットに対応し、該第二のビットマップにおける各ビットの値は対応する少なくとも一つの時間領域リソースユニットが該端末装置のデータの伝送に用いられるか否かを示すことに用いられる。
【０１１３】
選択可能に、本出願の実施例では、該ネットワーク装置４００は、該端末装置へ第二の指示情報を送信するように構成され、該第二の指示情報が、該ネットワーク装置が該第一の端末装置に割り当てた少なくとも一つの周波数領域リソースユニットを示すことに用いられ、該少なくとも一つの周波数領域リソースユニットが該第一の周波数領域リソースユニットを含む第三の送信ユニット４３０を備える。
【０１１４】
選択可能に、本出願の実施例では、該第二の指示情報は、第三のビットマップであり、該第三のビットマップにおけるビットが、システム帯域幅における周波数領域リソースユニットと１対１で対応し、該第三のビットマップにおけるビットの値が、対応する周波数領域リソースユニットが該端末装置のデータの伝送に用いられるか否かを示すことに用いられる。
【０１１５】
選択可能に、本出願の実施例では、該第二の指示情報は、具体的に該少なくとも一つの周波数領域リソースユニットの該システム帯域幅における開始位置、該少なくとも一つの周波数領域リソースユニットの該システム帯域幅における終了位置及び該少なくとも一つの周波数領域リソースユニットの周波数領域における長さのうちの少なくなくとも２つを示すことに用いられる。
【０１１６】
選択可能に、本出願の実施例では、該周波数領域リソースユニットはリソースブロック（ＰＲＢ）、リソースブロックグループ又はサブバンドである。
【０１１７】
理解すべきものとして、本出願の実施例によるネットワーク装置４００は本出願の方法の実施例におけるネットワーク装置に対応してもよく、且つネットワーク装置４００の各ユニットの上記と他の操作及び／又は機能はそれぞれ図８の方法におけるネットワーク装置の対応するプロセスを実現するためのものであり、簡潔するために、ここでは説明を省略する。
【０１１８】
図１１に示すように、本出願の実施例はさらに図３の方法１００に対応する端末装置のコンテンツを実行することに用いられてもよい図９の端末装置３００とすることができる端末装置５００を提供する。該端末装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。前記メモリ５４０はプログラム、命令又はコードを記憶するように構成される。前記プロセッサ５３０は信号を受信するように入力インタフェース５１０を制御し、信号を送信するように出力インタフェース５２０を制御し、前記方法の実施例における操作を完了するために、前記メモリ５４０におけるプログラム、命令又はコードを実行するように構成される。
【０１１９】
したがって、本出願の実施例の端末装置では、連続的な時間領域リソース及び不連続な時間領域リソースを示すことができ、それによって時間領域スケジューリングの柔軟性を向上させることができる。
【０１２０】
理解すべきものとして、本出願の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２１】
該メモリ５４０は読み取り専用メモリとランダムアクセスメモリを含み、そしてプロセッサ５３０へ命令とデータを提供することができる。メモリ５４０の一部はさらに不揮発性ランダムアクセスメモリを含むことができる。例えば、メモリ５４０はさらに装置タイプの情報を記憶することができる。
【０１２２】
実施プロセスでは、上記方法の各内容は、プロセッサ５３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０１２３】
一つの具体的な実施形態では、端末装置３００における第一の受信ユニット３１０、第二の受信ユニット３３０と第三の受信ユニット３４０は、図１１における入力インタフェース５１０によって実現されてもよい。
【０１２４】
図１２に示すように、本出願の実施例はさらに図８の方法２００に対応するネットワーク装置のコンテンツを実行することに用いられてもよい図１０のネットワーク装置４００とすることができるネットワーク装置６００を提供する。該ネットワーク装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。前記メモリ６４０はプログラム、命令又はコードを記憶するように構成される。前記プロセッサ６３０は信号を受信するように入力インタフェース６１０を制御し、信号を送信するように出力インタフェース６２０を制御し、前記方法の実施例における操作を完了するために、前記メモリ６４０におけるプログラム、命令又はコードを実行するように構成される。
【０１２５】
したがって、本出願の実施例のネットワーク装置では、連続的な時間領域リソース及び不連続な時間領域リソースを示すことができ、それによって時間領域スケジューリングの柔軟性を向上させることができる。
【０１２６】
理解すべきものとして、本出願の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１２７】
該メモリ６４０は読み取り専用メモリとランダムアクセスメモリを含み、そしてプロセッサ６３０へ命令とデータを提供することができる。メモリ６４０の一部はさらに不揮発性ランダムアクセスメモリを含むことができる。例えば、メモリ６４０はさらに装置タイプの情報を記憶することができる。
【０１２８】
実施プロセスでは、上記方法の各内容は、プロセッサ６３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１２９】
一つの具体的な実施形態では、第一の送信ユニット４１０、第二の送信ユニット４２０と第三の送信ユニット４３０は図１２における出力インタフェース６２０によって実現されてもよい。
【０１３０】
本出願の実施例は、さらに一つ又は複数のプログラムを記憶し、該一つ又は複数のプログラムが命令を含み、該命令が複数のアプリケーションプログラムを含む携帯型電子装置によって実行される時に、該携帯型電子装置に図３又は図８に示す実施例における方法を実行させることができるコンピュータ可読記憶媒体を提供する。
【０１３１】
本出願の実施例はさらにコンピュータプログラムを提供し、該コンピュータプログラムが命令を含み、コンピュータプログラムがコンピュータに実行される場合、コンピュータが図３又は図８に示す実施例における方法の対応するプロセスを実行することができる。
【０１３２】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１３３】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１３４】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分モードもあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１３５】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の解決策の目的を達成することができる。
【０１３６】
また、本出願の各実施例における各機能ユニットは、一つの処理ユニットに統合されてもよく、個々のユニットは単独で物理的に存在してもよく、二つ又は二つ以上のユニットは一つのユニットに統合されてもよい。
【０１３７】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例における該方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１３８】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は請求項の保護範囲に準拠するべきである。
【手続補正２】
【補正対象書類名】特許請求の範囲
【補正対象項目名】全文
【補正方法】変更
【補正の内容】
【特許請求の範囲】
【請求項１】
無線通信方法であって、
端末装置がネットワーク装置から送信された第一のビットマップを受信し、前記第一のビットマップが、前記ネットワーク装置が第一の周波数領域リソースユニット内で前記端末装置に割り当てた時間領域リソースを示すことに用いられることと、
前記端末装置が、前記第一のビットマップに示される時間領域リソースで前記ネットワーク装置とデータの伝送を行うこととを含む、前記無線通信方法。
【請求項２】
前記第一のビットマップにおける各ビットは、前記第一の周波数領域リソースユニットにおける少なくとも一つの時間領域リソースユニットに対応し、前記第一のビットマップにおける各ビットの値は、対応する少なくとも一つの時間領域リソースユニットが前記端末装置のデータの伝送に用いられるか否かを示すことに用いられることを特徴とする
請求項１に記載の方法。
【請求項３】
前記第一のビットマップにおけるビットは、前記第一の周波数領域リソースユニットにおける時間領域リソースユニットと１対１で対応することを特徴とする
請求項２に記載の方法。
【請求項４】
前記第一のビットマップにおけるビットの左から右への順序は、前記第一の周波数領域リソースユニットにおける時間領域リソースユニットの先後順序と一致することを特徴とする
請求項２又は３に記載の方法。
【請求項５】
前記時間領域リソースユニットは、シンボル、シンボルグループ、タイムスロットとマイクロタイムスロットのうちの少なくとも一つであることを特徴とする
請求項２−４のいずれか一項に記載の方法。
【請求項６】
前記方法はさらに、
前記端末装置が前記ネットワーク装置から送信された第二の指示情報を受信し、前記第二の指示情報が、前記ネットワーク装置が前記端末装置に割り当てた少なくとも一つの周波数領域リソースユニットを示すことに用いられ、前記少なくとも一つの周波数領域リソースユニットが前記第一の周波数領域リソースユニットを含むことを含むことを特徴とする
請求項１−５のいずれか一項に記載の方法。
【請求項７】
前記第二の指示情報は、具体的に前記少なくとも一つの周波数領域リソースユニットの前記システム帯域幅における開始位置、前記少なくとも一つの周波数領域リソースユニットの前記システム帯域幅における終了位置及び前記少なくとも一つの周波数領域リソースユニットの周波数領域における長さのうちの少なくなくとも２つを示すことに用いられることを特徴とする
請求項６に記載の方法。
【請求項８】
前記周波数領域リソースユニットは、リソースブロック（ＰＲＢ）、リソースブロックグループ又はサブバンドであることを特徴とする
請求項１−７のいずれか一項に記載の方法。
【請求項９】
端末装置であって、
ネットワーク装置から送信された第一のビットマップを受信するように構成され、前記第一のビットマップが、前記ネットワーク装置が第一の周波数領域リソースユニット内で前記端末装置に割り当てた時間領域リソースを示すことに用いられる第一の受信ユニットと、
前記第一のビットマップに示される時間領域リソースで前記ネットワーク装置とデータの伝送を行うように構成される伝送ユニットとを備える、前記端末装置。
【請求項１０】
前記第一のビットマップにおける各ビットは、前記第一の周波数領域リソースユニットにおける少なくとも一つの時間領域リソースユニットに対応し、前記第一のビットマップにおける各ビットの値は、対応する少なくとも一つの時間領域リソースユニットが前記端末装置のデータの伝送に用いられるか否かを示すことに用いられることを特徴とする
請求項９に記載の端末装置。
【請求項１１】
前記第一のビットマップにおけるビットは、前記第一の周波数領域リソースユニットにおける時間領域リソースユニットと１対１で対応することを特徴とする
請求項１０に記載の端末装置。
【請求項１２】
前記第一のビットマップにおけるビットの左から右への順序は、前記第一の周波数領域リソースユニットにおける時間領域リソースユニットの先後順序と一致することを特徴とする
請求項１０又は１１に記載の端末装置。
【請求項１３】
前記時間領域リソースユニットは、シンボル、シンボルグループ、タイムスロットとマイクロタイムスロットのうちの少なくとも一つであることを特徴とする
請求項１０−１２のいずれか一項に記載の端末装置。
【請求項１４】
前記端末装置は、
前記ネットワーク装置から送信された第二の指示情報を受信するように構成され、前記第二の指示情報が、前記ネットワーク装置が前記端末装置に割り当てた少なくとも一つの周波数領域リソースユニットを示すことに用いられ、前記少なくとも一つの周波数領域リソースユニットが前記第一の周波数領域リソースユニットを含む第三の受信ユニットを備えることを特徴とする
請求項９−１３のいずれか一項に記載の端末装置。
【請求項１５】
前記第二の指示情報は、第三のビットマップであり、前記第三のビットマップにおけるビットが、システム帯域幅における周波数領域リソースユニットと１対１で対応し、前記第三のビットマップにおけるビットの値が、対応する周波数領域リソースユニットが前記端末装置のデータの伝送に用いられるか否かを示すことに用いられることを特徴とする
請求項１４に記載の端末装置。
【請求項１６】
前記第二の指示情報は、具体的に前記少なくとも一つの周波数領域リソースユニットの前記システム帯域幅における開始位置、前記少なくとも一つの周波数領域リソースユニットの前記システム帯域幅における終了位置及び前記少なくとも一つの周波数領域リソースユニットの周波数領域における長さのうちの少なくなくとも２つを示すことに用いられることを特徴とする
請求項１４に記載の端末装置。
【請求項１７】
前記周波数領域リソースユニットは、リソースブロック（ＰＲＢ）、リソースブロックグループ又はサブバンドであることを特徴とする
請求項９−１６のいずれか一項に記載の端末装置。
【国際調査報告】
2020519078.tif 000015
2020519078.tif 000016
2020519078.tif 000017
2020519078.tif 000018